(57)【特許請求の範囲】
【請求項１】
カメラボディのボディ側マウント部の近傍に円弧状に設けられ２個の接地端子を含む１２個のボディ側接続端子を有するカメラボディが取り付けられ、マウント中心点を有するレンズ側マウント部と、
前記カメラボディとの結合時に各々が対応するボディ側接続端子と接触する接触部を有する複数のレンズ側接続端子が配置された保持部と、
駆動可能な被駆動部材を含む光学系と、
前記被駆動部材を駆動させる駆動部と、
前記カメラボディとデータ通信を行う制御部とを備え、
前記複数のレンズ側接続端子は、
前記カメラボディから前記駆動部を動作させるための駆動電圧が供給される第１レンズ側接続端子と、
前記カメラボディから第１クロック信号が入力される第３レンズ側接続端子と、
前記第１クロック信号に同期して、前記カメラボディから第１データ信号が入力される第４レンズ側接続端子と、
前記第１クロック信号に同期して、前記カメラボディに第２データ信号を出力する第５レンズ側接続端子と、
前記カメラボディから第２クロック信号が入力される第６レンズ側接続端子と、
前記第２クロック信号に同期して、前記カメラボディに第３データ信号を出力する第７レンズ側接続端子と、
前記第１クロック信号および前記第２クロック信号に同期しない第１非同期信号を前記カメラボディに出力する第８レンズ側接続端子と、
前記第１クロック信号および前記第２クロック信号に同期しない第２非同期信号が前記カメラボディから入力される第９レンズ側接続端子と、
前記第１クロック信号および前記第２クロック信号に同期しない第３非同期信号を前記カメラボディに出力する第１０レンズ側接続端子と、
前記制御部が、前記第８レンズ側接続端子から出力する前記第１非同期信号および前記第３レンズ側接続端子に入力された前記第１クロック信号に基づいて、前記第４レンズ側接続端子を用いて前記カメラボディからの前記第１データ信号の受信と、前記第５レンズ側接続端子を用いて前記カメラボディへの前記第２データ信号の送信とを行い、そして、前記第９レンズ側接続端子に入力された前記第２非同期信号、前記第１０レンズ側接続端子から出力する前記第３非同期信号、および前記第６レンズ側接続端子に入力された前記第２クロック信号に基づいて、前記第７レンズ側接続端子を用いて前記カメラボディへの前記第３データ信号の送信を行うための動作電圧が、前記カメラボディから供給される第１１レンズ側接続端子とを有し、
前記第１レンズ側接続端子の当該接触部と前記第１１レンズ側接続端子の当該接触部とが前記マウント中心点に対して成す内角は、前記複数のレンズ側接続端子から任意に選択された２つのレンズ側接続端子の当該接触部が前記マウント中心点に対して成す内角の中で最も大きく、
前記第３レンズ側接続端子の当該接触部と前記第１１レンズ側接続端子の当該接触部とが前記マウント中心点に対して成す内角は、前記第１レンズ側接続端子および前記第４レンズ側接続端子から前記第１０レンズ側接続端子のうちいずれか１つの当該接触部と前記第１１レンズ側接続端子の当該接触部とが前記マウント中心点に対して成す内角より小さく、
前記第４レンズ側接続端子の当該接触部と前記第１１レンズ側接続端子の当該接触部とが前記マウント中心点に対して成す内角は、前記第１レンズ側接続端子および前記第５レンズ側接続端子から前記第１０レンズ側接続端子のうちいずれか１つの当該接触部と前記第１１レンズ側接続端子の当該接触部とが前記マウント中心点に対して成す内角より小さく、
前記第５レンズ側接続端子の当該接触部と前記第１１レンズ側接続端子の当該接触部とが前記マウント中心点に対して成す内角は、前記第１レンズ側接続端子および前記第６レンズ側接続端子から前記第１０レンズ側接続端子のうちいずれか１つの当該接触部と前記第１１レンズ側接続端子の当該接触部とが前記マウント中心点に対して成す内角より小さく、
前記第８レンズ側接続端子の当該接触部と前記第１１レンズ側接続端子の当該接触部とが前記マウント中心点に対して成す内角は、前記第１レンズ側接続端子、前記第６レンズ側接続端子、前記第７レンズ側接続端子、前記第９レンズ側接続端子、および前記第１０レンズ側接続端子のうちいずれか１つの当該接触部と前記第１１レンズ側接続端子の当該接触部とが前記マウント中心点に対して成す内角より小さく、
前記第９レンズ側接続端子の当該接触部と前記第１１レンズ側接続端子の当該接触部とが前記マウント中心点に対して成す内角は、前記第１レンズ側接続端子、前記第６レンズ側接続端子、前記第７レンズ側接続端子、および前記第１０レンズ側接続端子のうちいずれか１つの当該接触部と前記第１１レンズ側接続端子の当該接触部とが前記マウント中心点に対して成す内角より小さく、
前記第１０レンズ側接続端子の当該接触部と前記第１１レンズ側接続端子の当該接触部とが前記マウント中心点に対して成す内角は、前記第１レンズ側接続端子、前記第６レンズ側接続端子、および前記第７レンズ側接続端子のうちいずれか１つの当該接触部と前記第１１レンズ側接続端子の当該接触部とが前記マウント中心点に対して成す内角より小さく、
前記第６レンズ側接続端子の当該接触部と前記第１１レンズ側接続端子の当該接触部とが前記マウント中心点に対して成す内角は、前記第１レンズ側接続端子および前記第７レンズ側接続端子のいずれか一方の当該接触部と前記第１１レンズ側接続端子の当該接触部とが前記マウント中心点に対して成す内角より小さく、
前記第７レンズ側接続端子の当該接触部と前記第１１レンズ側接続端子の当該接触部とが前記マウント中心点に対して成す内角は、前記第１レンズ側接続端子の当該接触部と前記第１１レンズ側接続端子の当該接触部とが前記マウント中心点に対して成す内角より小さく、
前記駆動部と前記制御部とは、前記カメラボディとの結合時に、前記ボディ側接続端子に含まれる前記２個の接地端子の１つと接触する共有接地部を有することを特徴とする交換レンズ。
【請求項２】
請求項１に記載の交換レンズにおいて、
前記共有接地部は、接地電圧用の配線を共有することを特徴とする交換レンズ。
【請求項３】
カメラボディのボディ側マウント部の近傍に円弧状に設けられ２個の接地端子を含む１２個のボディ側接続端子を有するカメラボディが取り付けられ、マウント中心点を有するレンズ側マウント部と、
前記カメラボディとの結合時に各々が対応するボディ側接続端子と接触する接触部を有する１１個のレンズ側接続端子が配置された保持部と、
駆動可能な被駆動部材を含む光学系と、
前記被駆動部材を駆動させる駆動部と、
前記カメラボディとデータ通信を行う通信部とを備え、
前記１１個のレンズ側接続端子は、
前記カメラボディから前記駆動部を動作させるための駆動電圧が供給される第１レンズ側接続端子と、
前記カメラボディから第１クロック信号が入力される第３レンズ側接続端子と、
前記第１クロック信号に同期して、前記カメラボディから第１データ信号が入力される第４レンズ側接続端子と、
前記第１クロック信号に同期して、前記カメラボディに第２データ信号を出力する第５レンズ側接続端子と、
前記カメラボディから第２クロック信号が入力される第６レンズ側接続端子と、
前記第２クロック信号に同期して、前記カメラボディに第３データ信号を出力する第７レンズ側接続端子と、
前記第１クロック信号および前記第２クロック信号に同期しない第１非同期信号を前記カメラボディに出力する第８レンズ側接続端子と、
前記第１クロック信号および前記第２クロック信号に同期しない第２非同期信号が前記カメラボディから入力される第９レンズ側接続端子と、
前記第１クロック信号および前記第２クロック信号に同期しない第３非同期信号を前記カメラボディに出力する第１０レンズ側接続端子と、
前記通信部が、前記第８レンズ側接続端子から出力する前記第１非同期信号および前記第３レンズ側接続端子に入力された前記第１クロック信号に基づいて、前記第４レンズ側接続端子を用いて前記カメラボディからの前記第１データ信号の受信と、前記第５レンズ側接続端子を用いて前記カメラボディへの前記第２データ信号の送信とを行い、そして、前記第９レンズ側接続端子に入力された前記第２非同期信号、前記第１０レンズ側接続端子から出力する前記第３非同期信号、および前記第６レンズ側接続端子に入力された前記第２クロック信号に基づいて、前記第７レンズ側接続端子を用いて前記カメラボディへの前記第３データ信号の送信を行うための動作電圧が、前記カメラボディから供給される第１１レンズ側接続端子と、
前記動作電圧に対応する接地端子となる第１２レンズ側接続端子とから成り、
前記第１レンズ側接続端子の当該接触部と前記第１１レンズ側接続端子の当該接触部とが前記マウント中心点に対して成す内角は、前記１１個のレンズ側接続端子から任意に選択された２つのレンズ側接続端子の当該接触部が前記マウント中心点に対して成す内角の中で最も大きく、
前記第１１レンズ側接続端子の当該接触部と前記第１２レンズ側接続端子の当該接触部とが前記マウント中心点に対して成す内角は、前記第１レンズ側接続端子から前記第１０レンズ側接続端子のうちいずれか１つの当該接触部と前記第１１レンズ側接続端子の当該接触部とが前記マウント中心点に対して成す内角より小さく、
前記第３レンズ側接続端子の当該接触部と前記第１１レンズ側接続端子の当該接触部とが前記マウント中心点に対して成す内角は、前記第１レンズ側接続端子および前記第４レンズ側接続端子から前記第１０レンズ側接続端子のうちいずれか１つの当該接触部と前記第１１レンズ側接続端子の当該接触部とが前記マウント中心点に対して成す内角より小さく、
前記第４レンズ側接続端子の当該接触部と前記第１１レンズ側接続端子の当該接触部とが前記マウント中心点に対して成す内角は、前記第１レンズ側接続端子および前記第５レンズ側接続端子から前記第１０レンズ側接続端子のうちいずれか１つの当該接触部と前記第１１レンズ側接続端子の当該接触部とが前記マウント中心点に対して成す内角より小さく、
前記第５レンズ側接続端子の当該接触部と前記第１１レンズ側接続端子の当該接触部とが前記マウント中心点に対して成す内角は、前記第１レンズ側接続端子および前記第６レンズ側接続端子から前記第１０レンズ側接続端子のうちいずれか１つの当該接触部と前記第１１レンズ側接続端子の当該接触部とが前記マウント中心点に対して成す内角より小さく、
前記第８レンズ側接続端子の当該接触部と前記第１１レンズ側接続端子の当該接触部とが前記マウント中心点に対して成す内角は、前記第１レンズ側接続端子、前記第６レンズ側接続端子、前記第７レンズ側接続端子、前記第９レンズ側接続端子、および前記第１０レンズ側接続端子のうちいずれか１つの当該接触部と前記第１１レンズ側接続端子の当該接触部とが前記マウント中心点に対して成す内角より小さく、
前記第９レンズ側接続端子の当該接触部と前記第１１レンズ側接続端子の当該接触部とが前記マウント中心点に対して成す内角は、前記第１レンズ側接続端子、前記第６レンズ側接続端子、前記第７レンズ側接続端子、および前記第１０レンズ側接続端子のうちいずれか１つの当該接触部と前記第１１レンズ側接続端子の当該接触部とが前記マウント中心点に対して成す内角より小さく、
前記第１０レンズ側接続端子の当該接触部と前記第１１レンズ側接続端子の当該接触部とが前記マウント中心点に対して成す内角は、前記第１レンズ側接続端子、前記第６レンズ側接続端子、および前記第７レンズ側接続端子のうちいずれか１つの当該接触部と前記第１１レンズ側接続端子の当該接触部とが前記マウント中心点に対して成す内角より小さく、
前記第６レンズ側接続端子の当該接触部と前記第１１レンズ側接続端子の当該接触部とが前記マウント中心点に対して成す内角は、前記第１レンズ側接続端子および前記第７レンズ側接続端子のいずれか一方の当該接触部と前記第１１レンズ側接続端子の当該接触部とが前記マウント中心点に対して成す内角より小さく、
前記第７レンズ側接続端子の当該接触部と前記第１１レンズ側接続端子の当該接触部とが前記マウント中心点に対して成す内角は、前記第１レンズ側接続端子の当該接触部と前記第１１レンズ側接続端子の当該接触部とが前記マウント中心点に対して成す内角より小さく、
前記第１レンズ側接続端子の当該接触部と前記第７レンズ側接続端子の当該接触部とが前記マウント中心点に対して成す内角は、前記第３レンズ側接続端子から前記第１２レンズ側接続端子のうち隣り合ういずれか２つのレンズ側接続端子の当該接触部が前記マウント中心点に対して成す内角の略２倍であることを特徴とする交換レンズ。
【請求項４】
請求項３に記載の交換レンズにおいて、
前記第１１レンズ側接続端子に前記カメラボディから電圧が供給されている時に、前記マウント中心点を中心とする円周方向における前記第１レンズ側接続端子と前記第７レンズ側接続端子との間には、前記ボディ側接続端子の接地端子が配置される領域が設けられていることを特徴とする交換レンズ。
【請求項５】
カメラボディのボディ側マウント部の近傍に円弧状に設けられ２個の接地端子を含む１２個のボディ側接続端子を有するカメラボディが取り付けられ、マウント中心点を有するレンズ側マウント部と、
前記カメラボディとの結合時に各々が対応するボディ側接続端子と接触する接触部を有する１１個のレンズ側接続端子が配置された保持部と、
駆動可能な被駆動部材を含む光学系と、
前記被駆動部材を駆動させる駆動部と、
前記カメラボディとデータ通信を行う通信部とを備え、
前記１１個のレンズ側接続端子は、
前記カメラボディから前記駆動部を動作させるための駆動電圧が供給される第１レンズ側接続端子と、
前記駆動電圧に対応する接地端子となる第２レンズ側接続端子と、
前記カメラボディから第１クロック信号が入力される第３レンズ側接続端子と、
前記第１クロック信号に同期して、前記カメラボディから第１データ信号が入力される第４レンズ側接続端子と、
前記第１クロック信号に同期して、前記カメラボディに第２データ信号を出力する第５レンズ側接続端子と、
前記カメラボディから第２クロック信号が入力される第６レンズ側接続端子と、
前記第２クロック信号に同期して、前記カメラボディに第３データ信号を出力する第７レンズ側接続端子と、
前記第１クロック信号および前記第２クロック信号に同期しない第１非同期信号を前記カメラボディに出力する第８レンズ側接続端子と、
前記第１クロック信号および前記第２クロック信号に同期しない第２非同期信号が前記カメラボディから入力される第９レンズ側接続端子と、
前記第１クロック信号および前記第２クロック信号に同期しない第３非同期信号を前記カメラボディに出力する第１０レンズ側接続端子と、
前記通信部が、前記第８レンズ側接続端子から出力される前記第１非同期信号および前記第３レンズ側接続端子に入力された前記第１クロック信号に基づいて、前記第４レンズ側接続端子を用いて前記カメラボディからの前記第１データ信号の受信と、前記第５レンズ側接続端子を用いて前記カメラボディへの前記第２データ信号の送信とを行い、そして、前記第９レンズ側接続端子に入力され前記第２非同期信号、前記第１０レンズ側接続端子から出力された前記第３非同期信号、および前記第６レンズ側接続端子に入力された前記第２クロック信号に基づいて、前記第７レンズ側接続端子を用いて前記カメラボディへの前記第３データ信号の送信を行うための動作電圧が、前記カメラボディから供給される第１１レンズ側接続端子とから成り、
前記第１レンズ側接続端子の当該接触部と前記第１１レンズ側接続端子の当該接触部とが前記マウント中心点に対して成す内角は、前記１１個のレンズ側接続端子から任意に選択された２つのレンズ側接続端子の当該接触部が前記マウント中心点に対して成す内角の中で最も大きく、
前記第１レンズ側接続端子の当該接触部と前記第２レンズ側接続端子の当該接触部とが前記マウント中心点に対して成す内角は、前記第３レンズ側接続端子から前記第１１レンズ側接続端子のうちいずれか１つの当該接触部と前記第１レンズ側接続端子の当該接触部とが前記マウント中心点に対して成す内角より小さく、
前記第１レンズ側接続端子の当該接触部と前記第７レンズ側接続端子の当該接触部とが前記マウント中心点に対して成す内角は、前記第３レンズ側接続端子から第６レンズ側接続端子および前記第８レンズ側接続端子から前記第１１レンズ側接続端子のうちいずれか１つの当該接触部と前記第１レンズ側接続端子の当該接触部とが前記マウント中心点に対して成す内角より小さく、
前記第１レンズ側接続端子の当該接触部と前記第６レンズ側接続端子の当該接触部とが前記マウント中心点に対して成す内角は、前記第３レンズ側接続端子から第５レンズ側接続端子および前記第８レンズ側接続端子から前記第１１レンズ側接続端子のうちいずれか１つの当該接触部と前記第１レンズ側接続端子の当該接触部とが前記マウント中心点に対して成す内角より小さく、
前記第１レンズ側接続端子の当該接触部と前記第１０レンズ側接続端子の当該接触部とが前記マウント中心点に対して成す内角は、前記第３レンズ側接続端子から前記第５レンズ側接続端子および前記第８レンズ側接続端子、前記第９レンズ側接続端子、および前記第１１レンズ側接続端子のうちいずれか１つの当該接触部と前記第１レンズ側接続端子の当該接触部とが前記マウント中心点に対して成す内角より小さく、
前記第１レンズ側接続端子の当該接触部と前記第９レンズ側接続端子の当該接触部とが前記マウント中心点に対して成す内角は、前記第３レンズ側接続端子から前記第５レンズ側接続端子および前記第８レンズ側接続端子および前記第１１レンズ側接続端子のうちいずれか１つの当該接触部と前記第１レンズ側接続端子の当該接触部とが前記マウント中心点に対して成す内角より小さく、
前記第１レンズ側接続端子の当該接触部と前記第８レンズ側接続端子の当該接触部とが前記マウント中心点に対して成す内角は、前記第３レンズ側接続端子から前記第５レンズ側接続端子および前記第１１レンズ側接続端子のうちいずれか１つの当該接触部と前記第１レンズ側接続端子の当該接触部とが前記マウント中心点に対して成す内角より小さく、
前記第１レンズ側接続端子の当該接触部と前記第５レンズ側接続端子の当該接触部とが前記マウント中心点に対して成す内角は、前記第３レンズ側接続端子、前記第４レンズ側接続端子、および前記第１１レンズ側接続端子のうちいずれか１つの当該接触部と前記第１レンズ側接続端子の当該接触部とが前記マウント中心点に対して成す内角より小さく、
前記第１レンズ側接続端子の当該接触部と前記第４レンズ側接続端子の当該接触部とが前記マウント中心点に対して成す内角は、前記第３レンズ側接続端子および前記第１１レンズ側接続端子のいずれか一方の当該接触部と前記第１レンズ側接続端子の当該接触部とが前記マウント中心点に対して成す内角より小さく、
前記第１レンズ側接続端子の当該接触部と前記第３レンズ側接続端子の当該接触部とが前記マウント中心点に対して成す内角は、前記第１レンズ側接続端子の当該接触部と前記第１１レンズ側接続端子の当該接触部とが前記マウント中心点に対して成す内角より小さく、
前記第３レンズ側接続端子の当該接触部と前記第１１レンズ側接続端子の当該接触部とが前記マウント中心点に対して成す内角は、前記第１レンズ側接続端子から前記第１０レンズ側接続端子のうち隣り合ういずれか２つのレンズ側接続端子の当該接触部が前記マウント中心点に対して成す内角の略２倍であることを特徴とする交換レンズ。
【請求項６】
請求項５に記載の交換レンズにおいて、
前記第１１レンズ側接続端子に前記カメラボディから電圧が供給されている時に、前記マウント中心点を中心とする円周方向における前記第３レンズ側接続端子と前記第１１レンズ側接続端子との間には、前記ボディ側接続端子の接地端子が配置される領域が設けられていることを特徴とする交換レンズ。
【発明の詳細な説明】
【技術分野】
【０００１】
本発明は、交換レンズに関する。
【背景技術】
【０００２】
カメラボディと交換レンズとの間で電気的に通信を行うカメラシステムが知られている。例えば特許文献１には、カメラボディおよびアダプタ（例えば中間リングやリアフォーカスコンバータ）と通信を行うための端子群を有する交換レンズが記載されている。この端子群は円弧状に並べて配置されており、電源端子と接地端子との組が２組含まれている。
【先行技術文献】
【特許文献】
【０００３】
【特許文献１】特開平７−２３４４３２号公報
【発明の概要】
【発明が解決しようとする課題】
【０００４】
特許文献１に記載の交換レンズは、接地端子が２系統存在するため、部品点数が増加してしまうという問題があった。
【課題を解決するための手段】
【０００５】
請求項１に記載の交換レンズは、カメラボディのボディ側マウント部の近傍に円弧状に設けられ２個の接地端子を含む１２個のボディ側接続端子を有するカメラボディが取り付けられ、マウント中心点を有するレンズ側マウント部と、前記カメラボディとの結合時に各々が対応するボディ側接続端子と接触する接触部を有する複数のレンズ側接続端子が配置された保持部と、駆動可能な被駆動部材を含む光学系と、前記被駆動部材を駆動させる駆動部と、前記カメラボディとデータ通信を行う制御部とを備え、前記複数のレンズ側接続端子は、前記カメラボディから前記駆動部を動作させるための駆動電圧が供給される第１レンズ側接続端子と、前記カメラボディから第１クロック信号が入力される第３レンズ側接続端子と、前記第１クロック信号に同期して、前記カメラボディから第１データ信号が入力される第４レンズ側接続端子と、前記第１クロック信号に同期して、前記カメラボディに第２データ信号を出力する第５レンズ側接続端子と、前記カメラボディから第２クロック信号が入力される第６レンズ側接続端子と、前記第２クロック信号に同期して、前記カメラボディに第３データ信号を出力する第７レンズ側接続端子と、前記第１クロック信号および前記第２クロック信号に同期しない第１非同期信号を前記カメラボディに出力する第８レンズ側接続端子と、前記第１クロック信号および前記第２クロック信号に同期しない第２非同期信号が前記カメラボディから入力される第９レンズ側接続端子と、前記第１クロック信号および前記第２クロック信号に同期しない第３非同期信号を前記カメラボディに出力する第１０レンズ側接続端子と、前記制御部が、前記第８レンズ側接続端子から出力する前記第１非同期信号および前記第３レンズ側接続端子に入力された前記第１クロック信号に基づいて、前記第４レンズ側接続端子を用いて前記カメラボディからの前記第１データ信号の受信と、前記第５レンズ側接続端子を用いて前記カメラボディへの前記第２データ信号の送信とを行い、そして、前記第９レンズ側接続端子に入力された前記第２非同期信号、前記第１０レンズ側接続端子から出力する前記第３非同期信号、および前記第６レンズ側接続端子に入力された前記第２クロック信号に基づいて、前記第７レンズ側接続端子を用いて前記カメラボディへの前記第３データ信号の送信を行うための動作電圧が、前記カメラボディから供給される第１１レンズ側接続端子とを有し、前記第１レンズ側接続端子の当該接触部と前記第１１レンズ側接続端子の当該接触部とが前記マウント中心点に対して成す内角は、前記複数のレンズ側接続端子から任意に選択された２つのレンズ側接続端子の当該接触部が前記マウント中心点に対して成す内角の中で最も大きく、前記第３レンズ側接続端子の当該接触部と前記第１１レンズ側接続端子の当該接触部とが前記マウント中心点に対して成す内角は、前記第１レンズ側接続端子および前記第４レンズ側接続端子から前記第１０レンズ側接続端子のうちいずれか１つの当該接触部と前記第１１レンズ側接続端子の当該接触部とが前記マウント中心点に対して成す内角より小さく、前記第４レンズ側接続端子の当該接触部と前記第１１レンズ側接続端子の当該接触部とが前記マウント中心点に対して成す内角は、前記第１レンズ側接続端子および前記第５レンズ側接続端子から前記第１０レンズ側接続端子のうちいずれか１つの当該接触部と前記第１１レンズ側接続端子の当該接触部とが前記マウント中心点に対して成す内角より小さく、前記第５レンズ側接続端子の当該接触部と前記第１１レンズ側接続端子の当該接触部とが前記マウント中心点に対して成す内角は、前記第１レンズ側接続端子および前記第６レンズ側接続端子から前記第１０レンズ側接続端子のうちいずれか１つの当該接触部と前記第１１レンズ側接続端子の当該接触部とが前記マウント中心点に対して成す内角より小さく、前記第８レンズ側接続端子の当該接触部と前記第１１レンズ側接続端子の当該接触部とが前記マウント中心点に対して成す内角は、前記第１レンズ側接続端子、前記第６レンズ側接続端子、前記第７レンズ側接続端子、前記第９レンズ側接続端子、および前記第１０レンズ側接続端子のうちいずれか１つの当該接触部と前記第１１レンズ側接続端子の当該接触部とが前記マウント中心点に対して成す内角より小さく、前記第９レンズ側接続端子の当該接触部と前記第１１レンズ側接続端子の当該接触部とが前記マウント中心点に対して成す内角は、前記第１レンズ側接続端子、前記第６レンズ側接続端子、前記第７レンズ側接続端子、および前記第１０レンズ側接続端子のうちいずれか１つの当該接触部と前記第１１レンズ側接続端子の当該接触部とが前記マウント中心点に対して成す内角より小さく、前記第１０レンズ側接続端子の当該接触部と前記第１１レンズ側接続端子の当該接触部とが前記マウント中心点に対して成す内角は、前記第１レンズ側接続端子、前記第６レンズ側接続端子、および前記第７レンズ側接続端子のうちいずれか１つの当該接触部と前記第１１レンズ側接続端子の当該接触部とが前記マウント中心点に対して成す内角より小さく、前記第６レンズ側接続端子の当該接触部と前記第１１レンズ側接続端子の当該接触部とが前記マウント中心点に対して成す内角は、前記第１レンズ側接続端子および前記第７レンズ側接続端子のいずれか一方の当該接触部と前記第１１レンズ側接続端子の当該接触部とが前記マウント中心点に対して成す内角より小さく、前記第７レンズ側接続端子の当該接触部と前記第１１レンズ側接続端子の当該接触部とが前記マウント中心点に対して成す内角は、前記第１レンズ側接続端子の当該接触部と前記第１１レンズ側接続端子の当該接触部とが前記マウント中心点に対して成す内角より小さく、前記駆動部と前記制御部とは、前記カメラボディとの結合時に、前記ボディ側接続端子に含まれる前記２個の接地端子の１つと接触する共有接地部を有することを特徴とする。
請求項３に記載の交換レンズは、カメラボディのボディ側マウント部の近傍に円弧状に設けられ２個の接地端子を含む１２個のボディ側接続端子を有するカメラボディが取り付けられ、マウント中心点を有するレンズ側マウント部と、前記カメラボディとの結合時に各々が対応するボディ側接続端子と接触する接触部を有する１１個のレンズ側接続端子が配置された保持部と、駆動可能な被駆動部材を含む光学系と、前記被駆動部材を駆動させる駆動部と、前記カメラボディとデータ通信を行う通信部とを備え、前記１１個のレンズ側接続端子は、前記カメラボディから前記駆動部を動作させるための駆動電圧が供給される第１レンズ側接続端子と、前記カメラボディから第１クロック信号が入力される第３レンズ側接続端子と、前記第１クロック信号に同期して、前記カメラボディから第１データ信号が入力される第４レンズ側接続端子と、前記第１クロック信号に同期して、前記カメラボディに第２データ信号を出力する第５レンズ側接続端子と、前記カメラボディから第２クロック信号が入力される第６レンズ側接続端子と、前記第２クロック信号に同期して、前記カメラボディに第３データ信号を出力する第７レンズ側接続端子と、前記第１クロック信号および前記第２クロック信号に同期しない第１非同期信号を前記カメラボディに出力する第８レンズ側接続端子と、前記第１クロック信号および前記第２クロック信号に同期しない第２非同期信号が前記カメラボディから入力される第９レンズ側接続端子と、前記第１クロック信号および前記第２クロック信号に同期しない第３非同期信号を前記カメラボディに出力する第１０レンズ側接続端子と、前記通信部が、前記第８レンズ側接続端子から出力する前記第１非同期信号および前記第３レンズ側接続端子に入力された前記第１クロック信号に基づいて、前記第４レンズ側接続端子を用いて前記カメラボディからの前記第１データ信号の受信と、前記第５レンズ側接続端子を用いて前記カメラボディへの前記第２データ信号の送信とを行い、そして、前記第９レンズ側接続端子に入力された前記第２非同期信号、前記第１０レンズ側接続端子から出力する前記第３非同期信号、および前記第６レンズ側接続端子に入力された前記第２クロック信号に基づいて、前記第７レンズ側接続端子を用いて前記カメラボディへの前記第３データ信号の送信を行うための動作電圧が、前記カメラボディから供給される第１１レンズ側接続端子と、前記動作電圧に対応する接地端子となる第１２レンズ側接続端子とから成り、前記第１レンズ側接続端子の当該接触部と前記第１１レンズ側接続端子の当該接触部とが前記マウント中心点に対して成す内角は、前記１１個のレンズ側接続端子から任意に選択された２つのレンズ側接続端子の当該接触部が前記マウント中心点に対して成す内角の中で最も大きく、前記第１１レンズ側接続端子の当該接触部と前記第１２レンズ側接続端子の当該接触部とが前記マウント中心点に対して成す内角は、前記第１レンズ側接続端子から前記第１０レンズ側接続端子のうちいずれか１つの当該接触部と前記第１１レンズ側接続端子の当該接触部とが前記マウント中心点に対して成す内角より小さく、前記第３レンズ側接続端子の当該接触部と前記第１１レンズ側接続端子の当該接触部とが前記マウント中心点に対して成す内角は、前記第１レンズ側接続端子および前記第４レンズ側接続端子から前記第１０レンズ側接続端子のうちいずれか１つの当該接触部と前記第１１レンズ側接続端子の当該接触部とが前記マウント中心点に対して成す内角より小さく、前記第４レンズ側接続端子の当該接触部と前記第１１レンズ側接続端子の当該接触部とが前記マウント中心点に対して成す内角は、前記第１レンズ側接続端子および前記第５レンズ側接続端子から前記第１０レンズ側接続端子のうちいずれか１つの当該接触部と前記第１１レンズ側接続端子の当該接触部とが前記マウント中心点に対して成す内角より小さく、前記第５レンズ側接続端子の当該接触部と前記第１１レンズ側接続端子の当該接触部とが前記マウント中心点に対して成す内角は、前記第１レンズ側接続端子および前記第６レンズ側接続端子から前記第１０レンズ側接続端子のうちいずれか１つの当該接触部と前記第１１レンズ側接続端子の当該接触部とが前記マウント中心点に対して成す内角より小さく、前記第８レンズ側接続端子の当該接触部と前記第１１レンズ側接続端子の当該接触部とが前記マウント中心点に対して成す内角は、前記第１レンズ側接続端子、前記第６レンズ側接続端子、前記第７レンズ側接続端子、前記第９レンズ側接続端子、および前記第１０レンズ側接続端子のうちいずれか１つの当該接触部と前記第１１レンズ側接続端子の当該接触部とが前記マウント中心点に対して成す内角より小さく、前記第９レンズ側接続端子の当該接触部と前記第１１レンズ側接続端子の当該接触部とが前記マウント中心点に対して成す内角は、前記第１レンズ側接続端子、前記第６レンズ側接続端子、前記第７レンズ側接続端子、および前記第１０レンズ側接続端子のうちいずれか１つの当該接触部と前記第１１レンズ側接続端子の当該接触部とが前記マウント中心点に対して成す内角より小さく、前記第１０レンズ側接続端子の当該接触部と前記第１１レンズ側接続端子の当該接触部とが前記マウント中心点に対して成す内角は、前記第１レンズ側接続端子、前記第６レンズ側接続端子、および前記第７レンズ側接続端子のうちいずれか１つの当該接触部と前記第１１レンズ側接続端子の当該接触部とが前記マウント中心点に対して成す内角より小さく、前記第６レンズ側接続端子の当該接触部と前記第１１レンズ側接続端子の当該接触部とが前記マウント中心点に対して成す内角は、前記第１レンズ側接続端子および前記第７レンズ側接続端子のいずれか一方の当該接触部と前記第１１レンズ側接続端子の当該接触部とが前記マウント中心点に対して成す内角より小さく、前記第７レンズ側接続端子の当該接触部と前記第１１レンズ側接続端子の当該接触部とが前記マウント中心点に対して成す内角は、前記第１レンズ側接続端子の当該接触部と前記第１１レンズ側接続端子の当該接触部とが前記マウント中心点に対して成す内角より小さく、前記第１レンズ側接続端子の当該接触部と前記第７レンズ側接続端子の当該接触部とが前記マウント中心点に対して成す内角は、前記第３レンズ側接続端子から前記第１２レンズ側接続端子のうち隣り合ういずれか２つのレンズ側接続端子の当該接触部が前記マウント中心点に対して成す内角の略２倍であることを特徴とする。
請求項５に記載の交換レンズは、カメラボディのボディ側マウント部の近傍に円弧状に設けられ２個の接地端子を含む１２個のボディ側接続端子を有するカメラボディが取り付けられ、マウント中心点を有するレンズ側マウント部と、前記カメラボディとの結合時に各々が対応するボディ側接続端子と接触する接触部を有する１１個のレンズ側接続端子が配置された保持部と、駆動可能な被駆動部材を含む光学系と、前記被駆動部材を駆動させる駆動部と、前記カメラボディとデータ通信を行う通信部とを備え、前記１１個のレンズ側接続端子は、前記カメラボディから前記駆動部を動作させるための駆動電圧が供給される第１レンズ側接続端子と、前記駆動電圧に対応する接地端子となる第２レンズ側接続端子と、前記カメラボディから第１クロック信号が入力される第３レンズ側接続端子と、前記第１クロック信号に同期して、前記カメラボディから第１データ信号が入力される第４レンズ側接続端子と、前記第１クロック信号に同期して、前記カメラボディに第２データ信号を出力する第５レンズ側接続端子と、前記カメラボディから第２クロック信号が入力される第６レンズ側接続端子と、前記第２クロック信号に同期して、前記カメラボディに第３データ信号を出力する第７レンズ側接続端子と、前記第１クロック信号および前記第２クロック信号に同期しない第１非同期信号を前記カメラボディに出力する第８レンズ側接続端子と、前記第１クロック信号および前記第２クロック信号に同期しない第２非同期信号が前記カメラボディから入力される第９レンズ側接続端子と、前記第１クロック信号および前記第２クロック信号に同期しない第３非同期信号を前記カメラボディに出力する第１０レンズ側接続端子と、前記通信部が、前記第８レンズ側接続端子から出力される前記第１非同期信号および前記第３レンズ側接続端子に入力された前記第１クロック信号に基づいて、前記第４レンズ側接続端子を用いて前記カメラボディからの前記第１データ信号の受信と、前記第５レンズ側接続端子を用いて前記カメラボディへの前記第２データ信号の送信とを行い、そして、前記第９レンズ側接続端子に入力され前記第２非同期信号、前記第１０レンズ側接続端子から出力された前記第３非同期信号、および前記第６レンズ側接続端子に入力された前記第２クロック信号に基づいて、前記第７レンズ側接続端子を用いて前記カメラボディへの前記第３データ信号の送信を行うための動作電圧が、前記カメラボディから供給される第１１レンズ側接続端子とから成り、前記第１レンズ側接続端子の当該接触部と前記第１１レンズ側接続端子の当該接触部とが前記マウント中心点に対して成す内角は、前記１１個のレンズ側接続端子から任意に選択された２つのレンズ側接続端子の当該接触部が前記マウント中心点に対して成す内角の中で最も大きく、前記第１レンズ側接続端子の当該接触部と前記第２レンズ側接続端子の当該接触部とが前記マウント中心点に対して成す内角は、前記第３レンズ側接続端子から前記第１１レンズ側接続端子のうちいずれか１つの当該接触部と前記第１レンズ側接続端子の当該接触部とが前記マウント中心点に対して成す内角より小さく、前記第１レンズ側接続端子の当該接触部と前記第７レンズ側接続端子の当該接触部とが前記マウント中心点に対して成す内角は、前記第３レンズ側接続端子から第６レンズ側接続端子および前記第８レンズ側接続端子から前記第１１レンズ側接続端子のうちいずれか１つの当該接触部と前記第１レンズ側接続端子の当該接触部とが前記マウント中心点に対して成す内角より小さく、前記第１レンズ側接続端子の当該接触部と前記第６レンズ側接続端子の当該接触部とが前記マウント中心点に対して成す内角は、前記第３レンズ側接続端子から第５レンズ側接続端子および前記第８レンズ側接続端子から前記第１１レンズ側接続端子のうちいずれか１つの当該接触部と前記第１レンズ側接続端子の当該接触部とが前記マウント中心点に対して成す内角より小さく、前記第１レンズ側接続端子の当該接触部と前記第１０レンズ側接続端子の当該接触部とが前記マウント中心点に対して成す内角は、前記第３レンズ側接続端子から前記第５レンズ側接続端子および前記第８レンズ側接続端子、前記第９レンズ側接続端子、および前記第１１レンズ側接続端子のうちいずれか１つの当該接触部と前記第１レンズ側接続端子の当該接触部とが前記マウント中心点に対して成す内角より小さく、前記第１レンズ側接続端子の当該接触部と前記第９レンズ側接続端子の当該接触部とが前記マウント中心点に対して成す内角は、前記第３レンズ側接続端子から前記第５レンズ側接続端子および前記第８レンズ側接続端子および前記第１１レンズ側接続端子のうちいずれか１つの当該接触部と前記第１レンズ側接続端子の当該接触部とが前記マウント中心点に対して成す内角より小さく、前記第１レンズ側接続端子の当該接触部と前記第８レンズ側接続端子の当該接触部とが前記マウント中心点に対して成す内角は、前記第３レンズ側接続端子から前記第５レンズ側接続端子および前記第１１レンズ側接続端子のうちいずれか１つの当該接触部と前記第１レンズ側接続端子の当該接触部とが前記マウント中心点に対して成す内角より小さく、前記第１レンズ側接続端子の当該接触部と前記第５レンズ側接続端子の当該接触部とが前記マウント中心点に対して成す内角は、前記第３レンズ側接続端子、前記第４レンズ側接続端子、および前記第１１レンズ側接続端子のうちいずれか１つの当該接触部と前記第１レンズ側接続端子の当該接触部とが前記マウント中心点に対して成す内角より小さく、前記第１レンズ側接続端子の当該接触部と前記第４レンズ側接続端子の当該接触部とが前記マウント中心点に対して成す内角は、前記第３レンズ側接続端子および前記第１１レンズ側接続端子のいずれか一方の当該接触部と前記第１レンズ側接続端子の当該接触部とが前記マウント中心点に対して成す内角より小さく、前記第１レンズ側接続端子の当該接触部と前記第３レンズ側接続端子の当該接触部とが前記マウント中心点に対して成す内角は、前記第１レンズ側接続端子の当該接触部と前記第１１レンズ側接続端子の当該接触部とが前記マウント中心点に対して成す内角より小さく、前記第３レンズ側接続端子の当該接触部と前記第１１レンズ側接続端子の当該接触部とが前記マウント中心点に対して成す内角は、前記第１レンズ側接続端子から前記第１０レンズ側接続端子のうち隣り合ういずれか２つのレンズ側接続端子の当該接触部が前記マウント中心点に対して成す内角の略２倍であることを特徴とする。
【発明の効果】
【０００６】
本発明によれば、部品点数を削減することができる。
【図面の簡単な説明】
【０００７】
【図１】本発明を適用したレンズ交換式のカメラシステムを示した斜視図である。
【図２】本発明を適用したレンズ交換式のカメラシステムを示した断面図である。
【図３】保持部１０２，２０２の詳細を示す模式図である。
【図４】ボディ側マウント部１０１の正面図である。
【図５】レンズ側マウント部２０１の正面図である。
【図６】コマンドデータ通信の例を示すタイミングチャートである。
【図７】ホットライン通信の例を示すタイミングチャートである。
【図８】第２の実施の形態における保持部２０２の正面図である。
【図９】第２の実施の形態における第８レンズ側接続端子ＬＰ８の正面図および断面図である。
【図１０】第３の実施の形態における保持部２０２の正面図である。
【発明を実施するための形態】
【０００８】
（第１の実施の形態）
図１は、本発明を適用したレンズ交換式のカメラシステムを示した斜視図である。なお、図１では本発明に係わる機器および装置のみを示し、それ以外の機器および装置については図示と説明を省略する。カメラ１は、カメラボディ１００と、カメラボディ１００に着脱可能な交換レンズ２００とから構成される。
【０００９】
カメラボディ１００には交換レンズ２００が着脱可能に取り付けられるボディ側マウント部１０１が設けられている。ボディ側マウント部１０１の近傍（ボディ側マウント部１０１の内周側）の位置には、ボディ側マウント部１０１の内周側に部分的に突出する状態で、１２個のボディ側接続端子を保持する保持部（電気的な接続部）１０２が設けられている。
【００１０】
また交換レンズ２００には、ボディ側マウント部１０１に対応し、カメラボディ１００が着脱可能に取り付けられるレンズ側マウント部２０１が設けられている。レンズ側マウント部２０１の近傍（レンズ側マウント部２０１の内周側）の位置には、レンズ側マウント部２０１の内周側に部分的に突出する状態で、１１個のレンズ側接続端子を保持する保持部（電気的な接続部）２０２が設けられている。
【００１１】
カメラボディ１００に交換レンズ２００が装着されると、保持部１０２（後に詳述）に設けられている複数のボディ側接続端子が、保持部２０２（後に詳述）に設けられている複数のレンズ側接続端子と電気的に且つ物理的に接続される。これらの端子は、カメラボディ１００から交換レンズ２００への電力供給、および、カメラボディ１００と交換レンズ２００との信号の送受信に利用される。
【００１２】
カメラボディ１００内のボディ側マウント部１０１後方には撮像素子１０４が設けられる。カメラボディ１００の上方には、入力装置たるボタン１０５が設けられている。ユーザはボタン１０５等の入力装置を用いてカメラボディ１００に撮影指示や撮影条件の設定指示等を行う。
【００１３】
図２は、本発明を適用したレンズ交換式のカメラシステムを示した断面図である。交換レンズ２００は、被写体像を結像させる結像光学系２１０を備える。結像光学系２１０は複数のレンズ２１０ａ〜２１０ｃにより構成されている。これら複数のレンズ２１０ａ〜２１０ｃには、被写体像のピント位置を制御するためのフォーカシングレンズ２１０ｂが含まれている。
【００１４】
交換レンズ２００内部には、交換レンズ２００の各部の制御を司るレンズ制御部２０３が設けられている。レンズ制御部２０３は不図示のマイクロコンピュータおよびその周辺回路等から構成される。レンズ制御部２０３には、レンズ側第１通信部２１７、レンズ側第２通信部２１８、レンズ駆動部２１２、レンズ位置検出部２１３、ＲＯＭ２１５、およびＲＡＭ２１６が接続されている。
【００１５】
レンズ側第１通信部２１７およびレンズ側第２通信部２１８は、保持部１０２、２０２の端子を介してカメラボディ１００とのデータの授受を行う。このレンズ側第１通信部２１７とレンズ側第２通信部２１８はそれぞれ、交換レンズ側の通信インターフェースである。レンズ制御部２０３はこれら通信インターフェースを使って、カメラボディ１００（後述するボディ制御部１０３）との間で後述する各通信（ホットライン通信、コマンドデータ通信）を行う。
【００１６】
レンズ駆動部２１２は例えばステッピングモータ等のアクチュエータを有し、レンズ駆動部２１２に入力された信号に応じてフォーカシングレンズ２１０ｂを駆動する。レンズ位置検出部２１３は、例えばレンズ駆動部２１２が有するステッピングモータに入力された信号のパルス数を計数して、フォーカシングレンズ２１０ｂの位置を検出する。あるいは、交換レンズ２００に設けられた周知の距離エンコーダ等を用いてフォーカシングレンズ２１０ｂの位置を検出してもよい。
【００１７】
なお、交換レンズ２００内に、上記フォーカシングレンズ２１０ｂ以外の被駆動部材を設けていても良い。例えば、上記フォーカシングレンズ２１０ｂと同様に、交換レンズ（結像光学系２１０）の光軸方向に移動可能な部材としてズームレンズを備え、そのズームレンズを電気的に駆動する機構（パワーズーム機構）を、交換レンズ２００内に設けても良い。また結像光学系２１０の光軸方向とは垂直な方向の成分（Ｘ，Ｙ方向成分）を含む移動方向に移動可能なブレ補正レンズを含み、そのブレ補正レンズを駆動することにより像振れの補正を行うブレ補正機構を、交換レンズ２００内に設けても良い。また、被写体光束の通過する絞り開口の大きさを変更するように移動可能な絞り部材（絞り羽根）の駆動を制御する絞り電動機構を、交換レンズ２００内に設けても良い。このような被駆動部材が設けられている場合には、レンズ制御部２０３が、レンズ駆動部２１２およびレンズ位置検出部２１３を用いて、ブレ補正レンズ、絞り部材、ズームレンズそれぞれの、駆動や位置検出を制御する。
【００１８】
ＲＯＭ２１５は不揮発性の記憶媒体であり、レンズ制御部２０３が実行する所定の制御プログラム等が予め記憶される。ＲＡＭ２１６は揮発性の記憶媒体であり、レンズ制御部２０３により各種データの記憶領域として利用される。
【００１９】
撮像素子１０４の前面には、撮像素子１０４の露光状態を制御するためのシャッター１１５と、光学的ローパスフィルターや赤外線カットフィルターを組み合わせた光学フィルター１１６とが設けられている。結像光学系２１０を透過した被写体光は、シャッター１１５およびフィルター１１６を介して撮像素子１０４に入射する。
【００２０】
カメラボディ１００内部には、カメラボディ１００の各部の制御を司るボディ制御部１０３が設けられている。ボディ制御部１０３は不図示のマイクロコンピュータ、ＲＡＭおよびその周辺回路等から構成される。
【００２１】
ボディ制御部１０３には、ボディ側第１通信部１１７およびボディ側第２通信部１１８が接続されている。ボディ側第１通信部１１７は保持部１０２に接続されており、レンズ側第１通信部２１７とデータの授受を行うことができる。同様に、ボディ側第２通信部１１８はレンズ側第２通信部２１８とデータの授受を行うことができる。換言すれば、ボディ側第１通信部１１７とボディ側第２通信部１１８はそれぞれ、ボディ側の通信インターフェースである。ボディ制御部１０３はこれら通信インターフェースを使って、交換レンズ２００（レンズ制御部２０３）との間で、後述する各通信（ホットライン通信、コマンドデータ通信）を行う。
【００２２】
カメラボディ１００の背面には、ＬＣＤパネル等により構成される表示装置１１１が配置される。ボディ制御部１０３はこの表示装置１１１に対し、撮像素子１０４の出力に基づく被写体の画像（いわゆるスルー画）や、撮影条件等を設定するための各種のメニュー画面を表示する。
【００２３】
（保持部１０２，２０２の説明）
図３は保持部１０２，２０２の詳細を示す模式図である。図３に示すように、保持部１０２にはＢＰ１〜ＢＰ１２の１２個のボディ側接続端子が存在する。また保持部２０２には、上記の１２個のボディ側接続端子ＢＰ１〜ＢＰ１２のうち、１１個のボディ側接続端子ＢＰ１，ＢＰ３〜ＢＰ１２にそれぞれ対応する、ＬＰ１，ＬＰ３〜ＬＰ１２の１１個のレンズ側接続端子が存在する。
【００２４】
カメラボディ１００は、所定範囲の電圧を供給可能な二次電池１３２を有している。カメラボディ１００内の各部（ボディ制御部１０３、ボディ側第１通信部１１７、ボディ側第２通信部１１８など）は、この二次電池１３２により供給される電圧により動作する。なお、カメラボディ１００内の各部が、この二次電池１３２により供給される電圧を直接使用するのではなく、周知のシリーズレギュレータやスイッチングレギュレータ等により降圧された電圧を使用していてもよい。
【００２５】
二次電池１３２の正極および負極は、カメラボディ１００内に設けられた電源回路１３０に接続されている。第１１ボディ側接続端子ＢＰ１１および第１２ボディ側接続端子ＢＰ１２は、この電源回路１３０に接続されている。電源回路１３０は、二次電池１３２から供給される電圧に基づいて、第１１ボディ側接続端子ＢＰ１１に、レンズ駆動部２１２を除く交換レンズ２００内の各部の動作電圧を供給する。すなわち、第１１ボディ側接続端子ＢＰ１１および第１１レンズ側接続端子ＬＰ１１からは、レンズ駆動部２１２を除く交換レンズ２００内の各部（レンズ側第１通信部２１７およびレンズ側第２通信部２１８を含む）の動作電圧が供給される。
【００２６】
なお、図３では第１１レンズ側接続端子ＬＰ１１とレンズ制御部２０３との接続のみを図示しているが、実際には第１１レンズ側接続端子ＬＰ１１はレンズ側第１通信部２１７やレンズ側第２通信部２１８等にも接続され、これらの各部に対し動作電圧を供給している。第１２レンズ側接続端子ＬＰ１２についても同様である。
【００２７】
この第１１ボディ側接続端子ＢＰ１１に供給可能な電圧値は、最小電圧値〜最大電圧値の範囲（例えば３Ｖ台での電圧幅）をもつが、標準的に供給される電圧値はその最大電圧値と最小電圧値の中間値近傍の電圧値である。そしてこれにより、カメラボディ１００側から交換レンズ２００側に供給される電流値は、電源ＯＮ状態において、約数１０ｍＡ〜数１００ｍＡの範囲内の電流値である。
【００２８】
第１２ボディ側接続端子ＢＰ１２は、第１１ボディ側接続端子ＢＰ１１に与えられる上記動作電圧に対応する接地端子であり、電源回路１３０の内部で二次電池１３２の負極に接続されている。すなわち、第１２ボディ側接続端子ＢＰ１２および第１２レンズ側接続端子ＬＰ１２は、上記の動作電圧に対応する接地端子である。
【００２９】
以下の説明では、第１１ボディ側接続端子ＢＰ１１および第１１レンズ側接続端子ＬＰ１１により構成される信号線を、信号線Ｖ３３と呼ぶ。また、第１２ボディ側接続端子ＢＰ１２および第１２レンズ側接続端子ＬＰ１２により構成される信号線を、信号線ＧＮＤと呼ぶ。第１１レンズ側接続端子ＬＰ１１、第１２レンズ側接続端子ＬＰ１２、第１１ボディ側接続端子ＢＰ１１、および第１２ボディ側接続端子ＢＰ１２は、カメラボディ１００側から交換レンズ２００側へ電源供給するための、電源系端子を構成する。
【００３０】
第３ボディ側接続端子ＢＰ３、第４ボディ側接続端子ＢＰ４、第５ボディ側接続端子ＢＰ５、および第８ボディ側接続端子ＢＰ８は、ボディ側第１通信部１１７に接続されている。これらのボディ側接続端子に対応する交換レンズ２００側の第３レンズ側接続端子ＬＰ３、第４レンズ側接続端子ＬＰ４、第５レンズ側接続端子ＬＰ５、および第８レンズ側接続端子ＬＰ８は、レンズ側第１通信部２１７に接続されている。ボディ側第１通信部１１７とレンズ側第１通信部２１７は、これらの端子（通信系端子）を用いて、互いにデータの送受信を行う。ボディ側第１通信部１１７とレンズ側第１通信部２１７が行う通信の内容については、後に詳述する。
【００３１】
なお以下の説明では、第３ボディ側接続端子ＢＰ３および第３レンズ側接続端子ＬＰ３により構成される信号線を、信号線ＣＬＫと呼ぶ。同様に、第４ボディ側接続端子ＢＰ４および第４レンズ側接続端子ＬＰ４により構成される信号線を信号線ＢＤＡＴと、第５ボディ側接続端子ＢＰ５および第５レンズ側接続端子ＬＰ５により構成される信号線を信号線ＬＤＡＴと、第８ボディ側接続端子ＢＰ８および第８レンズ側接続端子ＬＰ８により構成される信号線を信号線ＲＤＹと呼ぶ。
【００３２】
第９ボディ側接続端子ＢＰ９、第１０ボディ側接続端子ＢＰ１０、第６ボディ側接続端子ＢＰ６、および第７ボディ側接続端子ＢＰ７は、ボディ側第２通信部１１８に接続されている。これらのボディ側接続端子に対応する交換レンズ２００側の第９レンズ側接続端子ＬＰ９、第１０レンズ側接続端子ＬＰ１０、第６レンズ側接続端子ＬＰ６、および第７レンズ側接続端子ＬＰ７は、レンズ側第２通信部２１８に接続されている。レンズ側第２通信部２１８は、これらの端子（通信系端子）を用いて、ボディ側第２通信部１１８にデータの送信を行う。ボディ側第２通信部１１８とレンズ側第２通信部２１８が行う通信の内容については、後に詳述する。
【００３３】
なお以下の説明では、第９ボディ側接続端子ＢＰ９および第９レンズ側接続端子ＬＰ９により構成される信号線を、信号線ＨＲＥＱと呼ぶ。同様に、第１０ボディ側接続端子ＢＰ１０および第１０レンズ側接続端子ＬＰ１０により構成される信号線を信号線ＨＡＮＳと、第６ボディ側接続端子ＢＰ６および第６レンズ側接続端子ＬＰ６により構成される信号線を信号線ＨＣＬＫと、第７ボディ側接続端子ＢＰ７および第７レンズ側接続端子ＬＰ７により構成される信号線を信号線ＨＤＡＴと呼ぶ。
【００３４】
第１ボディ側接続端子ＢＰ１は、スイッチ１３１を介して、二次電池１３２の正極に接続されている。また第２ボディ側接続ＢＰ２は、二次電池１３２の負極に接続されている。二次電池１３２は、第１ボディ側接続端子ＢＰ１に、レンズ駆動部２１２の駆動電圧を供給する。すなわち、第１ボディ側接続端子ＢＰ１および第１レンズ側接続端子ＬＰ１からは、レンズ駆動部２１２の駆動電圧が供給される。この第１ボディ側接続端子ＢＰ１に供給可能な電圧値は、最小電圧値〜最大電圧値の範囲をもつが、その範囲はいずれも、前述した第１１ボディ側接続端子ＢＰ１１に供給可能な電圧値範囲よりも大きい電圧値である（例えば、第１ボディ側接続端子ＢＰ１に供給可能な最大電圧値は、第１１ボディ側接続端子ＢＰ１１に供給可能な最大電圧値の数倍程度）。即ち第１ボディ側接続端子ＢＰ１に供給される電圧値は、上述の第１１ボディ側接続端子ＢＰ１１に供給される電圧値とは、その大きさが異なる電圧値である。なお第１ボディ側接続端子ＢＰ１に標準的に供給される電圧値は、第１ボディ側接続端子ＢＰ１に供給可能な最大電圧値と最小電圧値の中間値近傍の電圧値である。そしてこれにより、カメラボディ１００側から交換レンズ２００側に供給される電流は、電源ＯＮ状態において、約１０ｍＡ〜数Ａの電流値となる。
【００３５】
第２ボディ側接続端子ＢＰ２は、第１ボディ側接続端子ＢＰ１に与えられる上記駆動電圧に対応する接地端子であり、二次電池１３２の負極に接続されている。すなわち、第２ボディ側接続端子ＢＰ２は、上記駆動電圧に対応する接地端子である。交換レンズ２００の保持部２０２には、この第２ボディ側接続端子ＢＰ２に対応する端子が設けられていない。つまり、カメラボディ１００と交換レンズ２００が結合したとき、第２ボディ側接続端子ＢＰ２は開放状態となる。
【００３６】
以下の説明では、第１ボディ側接続端子ＢＰ１および第１レンズ側接続端子ＬＰ１により構成される信号線を、信号線ＢＡＴと呼ぶ。すなわち、第１ボディ側接続端子ＢＰ１および第２ボディ側接続端子ＢＰ２は、カメラボディ１００側から交換レンズ２００側へ電源供給するための、電源系端子を構成する。
【００３７】
第１レンズ側接続端子ＬＰ１は、交換レンズ２００内のレンズ駆動部２１２に接続されている。レンズ駆動部２１２には更に、第１２レンズ側接続端子ＬＰ１２が接続されている。すなわち、レンズ駆動部２１２は第１２レンズ側接続端子ＬＰ１２をグランドとして、第１レンズ側接続端子ＬＰ１から供給された駆動電圧により動作する。換言すると、交換レンズ２００内のレンズ制御部２０３等の回路と、レンズ駆動部２１２等の駆動系とは、グランドを共有する。
【００３８】
図４は、ボディ側マウント部１０１の正面図である。図４（ａ）は、カメラボディ１００のボディ側マウント部１０１を交換レンズ２００側から見た図であり、図４（ｂ）は図４（ａ）のうち保持部１０２を拡大した図である。また、図５は、レンズ側マウント部２０１の正面図であり、図５（ａ）には交換レンズ２００のレンズ側マウント部２０１をカメラボディ１００側から見た様子が、図５（ｂ）には図５（ａ）のうち保持部２０２を拡大した様子がそれぞれ示されている。各マウント部は円形の形状を有しており、以下の説明ではその円の中心をマウント中心点Ｏと称する。
【００３９】
図４（ａ）に示すように、ボディ側マウント部１０１のマウント面よりも奥まった場所（図４（ａ）における紙面奥方向）には、保持部１０２が配置されている。また、図５（ａ）に示すように、レンズ側マウント部２０１のマウント面よりも突出した場所（図５（ａ）における紙面手前方向）には、保持部２０２が配置されている。ボディ側マウント部１０１のマウント面とレンズ側マウント部２０１のマウント面とを接触させ、カメラボディ１００と交換レンズ２００とを結合させると、保持部１０２と保持部２０２とが接続され、両保持部に設けられている１１個のボディ側接続端子ＢＰ１、ＢＰ３〜ＢＰ１２と１１個のレンズ側接続端子ＬＰ１、ＬＰ３〜ＬＰ１２とが互いに接続することとなる。また前述の通り、第２ボディ側接続端子ＢＰ２はどのレンズ側接続端子にも接続されない。なお図４および図５において、１２個のボディ側接続端子ＢＰ１〜ＢＰ１２および１１個のレンズ側接続端子ＬＰ１、ＬＰ３〜ＬＰ１２の上に描画されている一点鎖線は、カメラボディ１００と交換レンズ２００との結合時における１２個のボディ側接続端子ＢＰ１〜ＢＰ１２の軌跡を表している。このようなマウント構造については周知であるので、これ以上の説明を省略する。
【００４０】
図４（ａ）に示すように、１２個のボディ側接続端子ＢＰ１〜ＢＰ１２はそれぞれ円筒形の形状を有しており、保持部１０２の内部に設けられたバネ等により、ボディ側マウント部１０１の正面方向（交換レンズ２００の方向）に付勢されている。また図５（ａ）に示すように、１１個のレンズ側接続端子ＬＰ１、ＬＰ３〜ＬＰ１２はそれぞれ保持部２０２の表面に略矩形の導体が露出する形状を有している。保持部１０２が保持部２０２に接続されると、各ボディ側接続端子は上記の付勢により各レンズ側接続端子に押圧され、レンズ側接続端子とボディ側接続端子とが電気的に導通する。なお図５（ａ）および図５（ｂ）において、１１個のレンズ側接続端子ＬＰ１、ＬＰ３〜ＬＰ１２に重ねて描画されている円は、対応するボディ側接続端子の押圧位置を示す円である。
【００４１】
以下の説明において、１１個のレンズ側接続端子ＬＰ１、ＬＰ３〜ＬＰ１２の各々について、レンズ側接続端子全体のうちカメラボディ１００と交換レンズ２００との結合時にボディ側接続端子と接触する領域（図５（ａ）に円で示した領域）を接触部と称する。また、「カメラボディ１００と交換レンズ２００との結合時」とは、第１１レンズ側接続端子ＬＰ１１に対して第１１ボディ側接続端子ＢＰ１１から電圧が供給されている時のことをいう。なお本実施形態においてレンズ側接続端子とは、図５（ａ）に斜線で塗りつぶして示した保持部２０２の表面に露出する略矩形の領域（接触部を含む）だけではなく、この略矩形領域とレンズ側第１通信部２１７およびレンズ側第２通信部２１８とを接続する電気配線（リード線やフレキシブルケーブル等）を含む呼称である。また、上述しているような斜線で塗りつぶして示した保持部２０２の表面に露出する領域のことを、以降、レンズ側接続端子ＬＰ１、ＬＰ３〜ＬＰ１２の露出領域と呼称することがある。なお、露出領域については、後で、図９を用いて詳細に説明する。
【００４２】
図５（ａ）に示すように、レンズ側マウント部２０１の保持部２０２には、１１個のレンズ側接続端子ＬＰ１、ＬＰ３〜ＬＰ１２（の露出領域）が、レンズ側マウント部２０１に沿った方向（外観形状が略円形状のレンズ側マウント部２０１の一部分に沿うような円弧方向）にマウント中心点Ｏを中心として円弧状（円弧形状）に配置されている。本実施形態ではこれら１１個のレンズ側接続端子ＬＰ１、ＬＰ３〜ＬＰ１２のうちレンズ側接続端子ＬＰ３〜ＬＰ１２（の露出領域）は各々の接触部が等間隔になるよう配置されており、円弧（マウント中心点Ｏと、第１レンズ側接続端子ＬＰ１の（露出領域の）中心および第１１レンズ側接続端子ＬＰ１１の（露出領域の）中心をそれぞれ結ぶ扇形）の角度θ１１は約１０５度であり、各接触部間の円弧角度θ０はそれぞれ約９．５度である。また本実施形態では、１１個のレンズ側接続端子ＬＰ１、ＬＰ３〜ＬＰ１２それぞれの円弧方向の幅は約１．５ｍｍである。またマウント中心点Ｏと、各レンズ側接続端子ＬＰ１、ＬＰ３〜ＬＰ１２の接触部中心までの距離は約１５ｍｍであるので、各レンズ側接続端子ＬＰ３〜ＬＰ１２の中心間の円弧方向における距離は約２．５ｍｍとなる。そして各レンズ側接続端子ＬＰ３〜ＬＰ１２の円弧方向の幅は約１ｍｍであるので、各レンズ側接続端子ＬＰ３〜ＬＰ１２間の円弧方向のクリアランスは約１ｍｍである。
【００４３】
なお、各レンズ側接続端子ＬＰ１〜ＬＰ１２の（露出領域の）幅やクリアランスについては、適宜変更可能である。例えば各レンズ側接続端子ＬＰ１〜ＬＰ１２の（露出領域の）円弧方向の幅を１／１０ｍｍ単位（コンマ数ミリメートル単位）で大きくしたり小さくしたりしても良く、それに応じてクリアランスの円弧方向の幅も１／１０ｍｍ単位で（コンマ数ミリメートル単位、例えばプラスマイナス０．２ｍｍ）で適宜変更可能である。
【００４４】
以下、図５（ｂ）を基に、１１個のレンズ側接続端子ＬＰ１、ＬＰ３〜ＬＰ１２（の露出領域）同士の位置関係について説明する。第１レンズ側接続端子ＬＰ１の接触部と第１１レンズ側接続端子ＬＰ１１の接触部とがマウント中心点Ｏに対して成す内角θ１１は、１１個のレンズ側接続端子ＬＰ１、ＬＰ３〜ＬＰ１２から任意に選択された２つのレンズ側接続端子の接触部がマウント中心点Ｏに対して成す内角の中で最も大きい。
【００４５】
第１１レンズ側接続端子ＬＰ１１の接触部と第１２レンズ側接続端子ＬＰ１２の接触部とがマウント中心点Ｏに対して成す内角θ１は、第１レンズ側接続端子ＬＰ１から第１０レンズ側接続端子ＬＰ１０のうちいずれか１つのレンズ側接続端子の接触部と第１１レンズ側接続端子ＬＰ１１の接触部とがマウント中心点Ｏに対して成す内角θ２〜θ１１より小さい。第３レンズ側接続端子ＬＰ３の接触部と第１１レンズ側接続端子ＬＰ１１の接触部とがマウント中心点Ｏに対して成す内角θ２は、第１レンズ側接続端子ＬＰ１および第４レンズ側接続端子ＬＰ４から第１０レンズ側接続端子ＬＰ１０のうちいずれか１つのレンズ側接続端子の接触部と第１１レンズ側接続端子ＬＰ１１の接触部とがマウント中心点Ｏに対して成す内角θ３〜θ１１より小さい。
【００４６】
第４レンズ側接続端子ＬＰ４の接触部と第１１レンズ側接続端子ＬＰ１１の接触部とがマウント中心点Ｏに対して成す内角θ３は、第１レンズ側接続端子ＬＰ１および第５レンズ側接続端子ＬＰ５から第１０レンズ側接続端子ＬＰ１０のうちいずれか１つのレンズ側接続端子の接触部と第１１レンズ側接続端子ＬＰ１１の接触部とがマウント中心点Ｏに対して成す内角θ４〜θ１１より小さい。第５レンズ側接続端子ＬＰ５の接触部と第１１レンズ側接続端子ＬＰ１１の接触部とがマウント中心点Ｏに対して成す内角θ４は、第１レンズ側接続端子ＬＰ１および第６レンズ側接続端子ＬＰ６から第１０レンズ側接続端子ＬＰ１０のうちいずれか１つのレンズ側接続端子の接触部と第１１レンズ側接続端子ＬＰ１１の接触部とがマウント中心点Ｏに対して成す内角θ５〜θ１１より小さい。
【００４７】
第８レンズ側接続端子ＬＰ８の接触部と第１１レンズ側接続端子ＬＰ１１の接触部とがマウント中心点Ｏに対して成す内角θ５は、第１レンズ側接続端子ＬＰ１、第６レンズ側接続端子ＬＰ６、第７レンズ側接続端子ＬＰ７、第９レンズ側接続端子、および第１０レンズ側接続端子ＬＰ１０のうちいずれか１つのレンズ側接続端子の接触部と第１１レンズ側接続端子ＬＰ１１の接触部とがマウント中心点Ｏに対して成す内角θ６〜θ１１より小さい。第９レンズ側接続端子ＬＰ９の接触部と第１１レンズ側接続端子ＬＰ１１の接触部とがマウント中心点Ｏに対して成す内角θ６は、第１レンズ側接続端子ＬＰ１、第６レンズ側接続端子ＬＰ６、第７レンズ側接続端子ＬＰ７、および第１０レンズ側接続端子ＬＰ１０のいずれかのレンズ側接続端子の接触部と第１１レンズ側接続端子ＬＰ１１とがマウント中心点Ｏに対して成す内角θ７〜θ１１より小さい。
【００４８】
第１０レンズ側接続端子ＬＰ１０の接触部と第１１レンズ側接続端子ＬＰ１１の接触部とがマウント中心点Ｏに対して成す内角θ７は、第１レンズ側接続端子ＬＰ１、第６レンズ側接続端子ＬＰ６、および第７レンズ側接続端子ＬＰ７のうちいずれか１つのレンズ側接続端子の接触部と第１１レンズ側接続端子ＬＰ１１の接触部とがマウント中心点Ｏに対して成す内角θ８〜θ１１より小さい。第６レンズ側接続端子ＬＰ６の接触部と第１１レンズ側接続端子ＬＰ１１の接触部とがマウント中心点Ｏに対して成す内角θ８は、第１レンズ側接続端子ＬＰ１、および第７レンズ側接続端子ＬＰ７のうちいずれか１つのレンズ側接続端子の接触部と第１１レンズ側接続端子ＬＰ１１の接触部とがマウント中心点Ｏに対して成す内角θ９〜θ１１より小さい。
【００４９】
第７レンズ側接続端子ＬＰ７の接触部と第１１レンズ側接続端子ＬＰ１１の接触部とがマウント中心点Ｏに対して成す内角θ９は、第１レンズ側接続端子ＬＰ１の接触部と第１１レンズ側接続端子ＬＰ１１の接触部とがマウント中心点Ｏに対して成す内角θ１１より小さい。
【００５０】
第１レンズ側接続端子ＬＰ１の接触部と第７レンズ側接続端子ＬＰ７の接触部とがマウント中心点Ｏに対して成す内角は、第３レンズ側接続端子ＬＰ３から第１２レンズ側接続端子ＬＰ１２のうち隣り合ういずれか２つのレンズ側接続端子の接触部がマウント中心点Ｏに対して成す内角の略２倍である。ここで、隣り合う２つのレンズ側接続端子とは、例えば、図５（ａ）において、第１１レンズ側接続端子ＬＰ１１と第１２レンズ側接続端子ＬＰ１２、第５レンズ側接続端子ＬＰ５と第８レンズ側接続端子ＬＰ８、第１０レンズ側接続端子ＬＰ１０と第６レンズ側接続端子ＬＰ６など、マウント中心点Ｏに対して円周上に配置された１１個のレンズ側接続端子で隣に並んでいる２つのレンズ側接続端子である。なお、この第１レンズ側接続端子ＬＰ１と第７レンズ側接続端子ＬＰ７との間には、カメラボディ１００と交換レンズ２００との結合時（第１１レンズ側接続端子ＬＰ１１に第１１ボディ側接続端子ＬＰ１１から電圧が供給されている時）に、第２ボディ側接続端子が存在する。
【００５１】
１１個のレンズ側接続端子ＬＰ１、ＬＰ３〜ＬＰ１２（の露出領域）は、以上のような位置関係で保持部２０２に配置されている。なお、通信系の端子（通信系端子）である第３レンズ側接続端子ＬＰ３〜第１０レンズ側接続端子ＬＰ１０と、電源系の端子のうち電源電圧（既述した動作電圧）を供給する第１１レンズ側接続端子ＬＰ１１との間に、それらの接地端子（グランド端子）である第１２レンズ側接続端子ＬＰ１２を配置する構成としたのは、電源系の端子（信号線）が通信系の端子（信号線）に及ぼす影響を最小限に抑えるためである。
【００５２】
電源電圧を供給する信号線（第１１レンズ側接続端子ＬＰ１１を含む信号線）は、電源電圧の供給先での負荷変動に応じて大きな電圧変化を生じる。この大きな電圧変化が通信系の信号線に悪影響を及ぼす場合がある。この悪影響を抑制するために、本実施形態では、電源端子（第１１レンズ側接続端子ＬＰ１１）よりも電圧変化の安定している接地端子（第１２レンズ側接続端子ＬＰ１２）を、通信系端子（第３レンズ側接続端子ＬＰ３〜第１０レンズ側接続端子ＬＰ１０）と電源端子（第１１レンズ側接続端子ＬＰ１１）との間に介在配置させている。
【００５３】
レンズ側第１通信部２１７に接続されている第３レンズ側接続端子ＬＰ３、第４レンズ側接続端子ＬＰ４、第５レンズ側接続端子ＬＰ５、および第８レンズ側接続端子ＬＰ８と、レンズ側第２通信部２１８に接続されている第９レンズ側接続端子ＬＰ９、第１０レンズ側接続端子ＬＰ１０、第６レンズ側接続端子ＬＰ６、および第７レンズ側接続端子ＬＰ７とは互いに隣に配置されているが、レンズ側第１通信部２１７の第３レンズ側接続端子ＬＰ３、第４レンズ側接続端子ＬＰ４、および第５レンズ側接続端子ＬＰ５とレンズ側第２通信部２１８の第６レンズ側接続端子ＬＰ６および第７レンズ側接続端子ＬＰ７とは、互いに異なる（他方の）通信部（２１７、または２１８）に接続されている端子の隣に配置させないよう構成している。すなわち、異なる（他方の）通信部に接続されている端子に近い位置には、第８レンズ側接続端子ＬＰ８、第９レンズ側接続端子ＬＰ９、および第１０レンズ側接続端子ＬＰ１０がまとめて配置されている。これは、後述するように、第８レンズ側接続端子ＬＰ８、第９レンズ側接続端子ＬＰ９、および第１０レンズ側接続端子ＬＰ１０には、クロック信号に同期しない信号（クロック信号やそれに同期する信号に比して比較的に変化の少ない信号、例えば単位時間当たりの状態変化が１ｋＨｚ〜数ｋＨｚ程度の信号）を伝達するためである。一般にクロック信号やそれに同期する信号は単位時間当たりの変化が数ＭＨｚ程度と激しいため（一例としてクロック信号が８ＭＨｚで、それに同期するデータ信号が（データ量にも拠るが）４ＭＨｚのケース等）、雑音源となりやすい。従って、このような端子は通信に及ぼす影響を最小限にするために、異なる（他方の）通信部に接続されている端子から互いに離して配置することが望ましい。そこで本実施形態では、レンズ側第１通信部２１７内においてクロック信号およびそれに同期する信号を伝達する端子群（第３レンズ側接続端子ＬＰ３、第４レンズ側接続端子ＬＰ４、および第５レンズ側接続端子ＬＰ５）と、レンズ側第２通信部２１８内においてクロック信号およびそれに同期する信号を伝達する端子群（第６レンズ側接続端子ＬＰ６および第７レンズ側接続端子ＬＰ７）との間に、クロック信号に同期しない信号を伝達する端子群（第８レンズ側接続端子ＬＰ８、第９レンズ側接続端子ＬＰ９、および第１０レンズ側接続端子ＬＰ１０）を介在させる端子配置を採用している。
【００５４】
なお、図４に示すカメラボディ１００側の保持部１０２に配置された１２個のボディ側接続端子ＢＰ１〜ＢＰ１２については、上述した交換レンズ２００側の１１個のレンズ側接続端子ＬＰ１、ＬＰ３〜ＬＰ１２と同様であるので、説明を省略する。なお図１、図４、および図５から明らかであるように、ボディ側マウント部１０１はレンズ側マウント部２０１と向かい合わせてから、回転させて係合させる、いわゆるバヨネット式のマウント構造になっている。このため図４（ａ）および図５（ａ）に示すように、ボディ側接続端子ＢＰ１〜ＢＰ１２の並びの方向は、レンズ側接続端子ＬＰ１、ＬＰ３〜ＬＰ１２の並びの方向とは反対になっている（図５において、左端に第１１レンズ側接続端子ＬＰ１１が配置され右端に第１レンズ側接続端子ＬＰ１が配置されているのに対して、図４では第１１ボディ側接続端子ＢＰ１１が右端に配置され第１ボディ側接続端子ＢＰ１が左端に配置されている）。
【００５５】
（コマンドデータ通信の説明）
レンズ制御部２０３は、レンズ側第１通信部２１７を制御して、第３レンズ側接続端子ＬＰ３、第４レンズ側接続端子ＬＰ４、第５レンズ側接続端子ＬＰ５、および第８レンズ側接続端子ＬＰ８、すなわち信号線ＣＬＫ、ＢＤＡＴ、ＬＤＡＴ、およびＲＤＹを介して、ボディ側第１通信部１１７からの制御データの受信と、ボディ側第１通信部１１７への応答データの送信とを並行して、第１の所定周期（本実施形態では１６ミリ秒）で行う。以下、レンズ側第１通信部２１７とボディ側第１通信部１１７との間で行われる通信の詳細を説明する。
【００５６】
なお、本実施形態において、レンズ制御部２０３およびレンズ側第１通信部２１７と、ボディ制御部１０３およびボディ側第１通信部１１７との間で行われる通信を「コマンドデータ通信」と称する。
【００５７】
図６は、コマンドデータ通信の例を示すタイミングチャートである。ボディ制御部１０３およびボディ側第１通信部１１７は、コマンドデータ通信の開始時（Ｔ１）、まず信号線ＲＤＹの信号レベルを確認する。信号線ＲＤＹの信号レベルはレンズ側第１通信部２１７の通信可否を表している。レンズ制御部２０３およびレンズ側第１通信部２１７は、通信できない状態である場合には、第８レンズ側接続端子ＬＰ８からＨ（Ｈｉｇｈ）レベルの信号を出力する。すなわち、信号線ＲＤＹの信号レベルをＨレベルにする。ボディ制御部１０３およびボディ側第１通信部１１７は、信号線ＲＤＹがＨレベルである場合、これがＬレベルになるまで通信開始しない。また通信中の次の処理を実行しない。
【００５８】
信号線ＲＤＹがＬ（Ｌｏｗ）レベルであれば、ボディ制御部１０３およびボディ側第１通信部１１７は第３ボディ側接続端子ＢＰ３からクロック信号４０１を出力する。すなわち、信号線ＣＬＫを介してレンズ側第１通信部２１７にクロック信号４０１を伝送する。ボディ制御部１０３およびボディ側第１通信部１１７はこのクロック信号４０１に同期して、第４ボディ側接続端子ＢＰ４から制御データの前半部分であるボディ側コマンドパケット信号４０２を出力する。すなわち、信号線ＢＤＡＴを介してレンズ側第１通信部２１７にボディ側コマンドパケット信号４０２を伝送する。
【００５９】
また、信号線ＣＬＫにクロック信号４０１が出力されると、レンズ制御部２０３およびレンズ側第１通信部２１７は、クロック信号４０１に同期して第５レンズ側接続端子ＬＰ５から応答データの前半部分であるレンズ側コマンドパケット信号４０３を出力する。すなわち、信号線ＬＤＡＴを介してボディ側第１通信部１１７にレンズ側コマンドパケット信号４０３を伝送する。
【００６０】
レンズ制御部２０３およびレンズ側第１通信部２１７は、レンズ側コマンドパケット信号４０３の送信完了に応じて、信号線ＲＤＹの信号レベルをＨレベルにする（Ｔ２）。レンズ制御部２０３は、受信したボディ側コマンドパケット信号４０２の内容に応じた処理である第１制御処理４０４（後述）を開始する。
【００６１】
レンズ制御部２０３は第１制御処理４０４が完了すると、レンズ側第１通信部２１７に第１制御処理４０４の完了を通知する。レンズ側第１通信部２１７はこの通知に応じて、第８レンズ側接続端子ＬＰ８からＬレベルの信号を出力する。すなわち、信号線ＲＤＹの信号レベルをＬレベルにする（Ｔ３）。ボディ制御部１０３およびボディ側第１通信部１１７はこの信号レベルの変化に応じて、第３ボディ側接続端子ＢＰ３からクロック信号４０５を出力する。すなわち、信号線ＣＬＫを介してレンズ側第１通信部２１７にクロック信号４０５を伝送する。
【００６２】
ボディ制御部１０３およびボディ側第１通信部１１７はこのクロック信号４０５に同期して、第４ボディ側接続端子ＢＰ４から制御データの後半部分であるボディ側データパケット信号４０６を出力する。すなわち、信号線ＢＤＡＴを介してレンズ側第１通信部２１７にボディ側データパケット信号４０６を伝送する。
【００６３】
また、信号線ＣＬＫにクロック信号４０５が出力されると、レンズ制御部２０３およびレンズ側第１通信部２１７はクロック信号４０５に同期して第５レンズ側接続端子ＬＰ５から応答データの後半部分であるレンズ側データパケット信号４０７を出力する。すなわち、信号線ＬＤＡＴを介してボディ側第１通信部１１７にレンズ側データパケット信号４０７を伝送する。
【００６４】
レンズ制御部２０３およびレンズ側第１通信部２１７は、レンズ側データパケット信号４０７の送信完了に応じて、信号線ＲＤＹの信号レベルを再びＨレベルにする（Ｔ４）。レンズ制御部２０３は、受信したボディ側データパケット信号４０６の内容に応じた処理である第２制御処理４０８（後述）を開始する。
【００６５】
ここで、レンズ制御部２０３が行う第１制御処理４０４、および第２制御処理４０８について述べる。
【００６６】
例えば、受信したボディ側コマンドパケット信号４０２が、交換レンズ側の特定のデータを要求する内容であった場合について述べる。レンズ制御部２０３は、第１制御処理４０４として、コマンドパケット信号４０２の内容を解析処理すると共に、当該要求されている特定データを生成する処理を実行する。更にレンズ制御部２０３は、第１制御処理４０４として、コマンドパケット信号４０２に含まれているチェックサムデータを用いて、コマンドパケット信号４０２の通信にエラーがないか否かをデータバイト数から簡易的にチェックする通信エラーチェック処理をも実行する。この第１制御処理４０４で生成された特定データの信号は、レンズ側データパケット信号４０７としてボディ側に出力される。なお、この場合においてコマンドパケット信号４０２の後でボディ側から出力されるボディ側データパケット信号４０６は、レンズ側にとっては特に意味をなさないダミーデータ信号（チェックサムデータは含む）となっている。この場合にはレンズ制御部２０３は、第２制御処理４０８として、ボディ側データパケット信号４０６に含まれるチェックサムデータを用いた、上述の如き通信エラーチェック処理を実行する。
【００６７】
また例えば、受信したボディ側コマンドパケット信号４０２が、レンズ側の被駆動部材を駆動する指示であった場合について述べる。例えば、コマンドパケット信号４０２がフォーカシングレンズ２１０ｂの駆動指示であり、受信したボディ側データパケット信号４０６がフォーカシングレンズ２１０ｂの駆動量であった場合について述べる。レンズ制御部２０３は、第１制御処理４０４として、コマンドパケット信号４０２の内容を解析処理すると共に、その内容を理解したことを表す了解信号を生成する。更にレンズ制御部２０３は、第１制御処理４０４として、コマンドパケット信号４０２に含まれているチェックサムデータを用いて、上述の如き通信エラーチェック処理をも実行する。この第１制御処理４０４で生成された了解信号は、レンズ側データパケット信号４０７としてボディ側に出力される。またレンズ制御部２０３は、第２制御処理４０８として、ボディ側データパケット信号４０６の内容の解析処理を実行すると共に、ボディ側データパケット信号４０６に含まれるチェックサムデータを用いた上述の如き通信エラーチェック処理を実行する。
【００６８】
レンズ制御部２０３は第２制御処理４０８が完了すると、レンズ側第１通信部２１７に第２制御処理４０８の完了を通知する。これによってレンズ制御部２０３は、レンズ側第１通信部２１７に、接点ＬＰ６からＬレベルの信号を出力させる。すなわち、信号線ＲＤＹの信号レベルをＬレベルにする（Ｔ５）。
【００６９】
なお受信したボディ側コマンドパケット信号４０２が、上述のようなレンズ側の被駆動部材（たとえばフォーカシングレンズ）を駆動する指示であった場合、レンズ制御部２０３は、レンズ側第１通信部２１７に信号線ＲＤＹの信号レベルをＬレベルにさせつつ、レンズ駆動部２１２に対して、フォーカシングレンズ２１０ｂを当該駆動量だけ駆動する処理を実行させる。
【００７０】
上述した時刻Ｔ１〜時刻Ｔ５に行われた通信が、１回のコマンドデータ通信である。上述のように、１回のコマンドデータ通信では、ボディ制御部１０３およびボディ側第１通信部１１７により、ボディ側コマンドパケット信号４０２およびボディ側データパケット信号４０６がそれぞれ１つずつ送信される。すなわち、処理の都合上２つに分割されて送信されるものの、ボディ側コマンドパケット信号４０２およびボディ側データパケット信号４０６は２つ合わせて１つの制御データを構成する。
【００７１】
同様に、１回のコマンドデータ通信では、レンズ制御部２０３およびレンズ側第１通信部２１７によりレンズ側コマンドパケット信号４０３およびレンズ側データパケット信号４０７がそれぞれ１つずつ送信される。すなわち、レンズ側コマンドパケット信号４０３およびレンズ側データパケット信号４０７は２つ合わせて１つの応答データを構成する。
【００７２】
以上のように、レンズ制御部２０３およびレンズ側第１通信部２１７は、ボディ側第１通信部１１７からの制御データの受信と、ボディ側第１通信部１１７への応答データの送信とを並行して行う。コマンドデータ通信に利用される第８レンズ側接続端子ＬＰ８および第８ボディ側接続端子ＢＰ８は、他のクロック信号に同期しない非同期信号（信号線ＲＤＹの信号レベル／Ｈ（Ｈｉｇｈ）レベル、またはＬ（Ｌｏｗ）レベル）が伝送される接点である。
【００７３】
（ホットライン通信の説明）
レンズ制御部２０３は、レンズ側第２通信部２１８を制御して、第９レンズ側接続端子ＬＰ９、第１０レンズ側接続端子ＬＰ１０、第６レンズ側接続端子ＬＰ６、および第７レンズ側接続端子ＬＰ７、すなわち信号線ＨＲＥＱ、ＨＡＮＳ、ＨＣＬＫ、およびＨＤＡＴを介して、ボディ側第２通信部１１８へレンズ位置データを送信する。以下、レンズ側第２通信部２１８とボディ側第２通信部１１８との間で行われる通信の詳細を説明する。
【００７４】
なお、本実施形態において、レンズ制御部２０３およびレンズ側第２通信部２１８と、ボディ制御部１０３およびボディ側第２通信部１１８との間で行われる通信を「ホットライン通信」と称する。
【００７５】
図７は、ホットライン通信の例を示すタイミングチャートである。本実施形態のボディ制御部１０３は、ホットライン通信を第２の所定周期（本実施形態では例えば１ミリ秒）毎に開始するように構成されている。この周期は、コマンドデータ通信を行う周期よりも短い。図７（ａ）は、ホットライン通信が所定周期Ｔｎ毎に繰り返し実行されている様子を示す図である。繰り返し実行されるホットライン通信のうち、ある１回の通信の期間Ｔｘを拡大した様子が図７（ｂ）に示されている。以下、図７（ｂ）のタイミングチャートに基づいて、ホットライン通信の手順を説明する。
【００７６】
ボディ制御部１０３およびボディ側第２通信部１１８は、ホットライン通信の開始時（Ｔ６）、まず第９ボディ側接続端子ＢＰ９からＬレベルの信号を出力する。すなわち、信号線ＨＲＥＱの信号レベルをＬレベルにする。レンズ側第２通信部２１８は、この信号が第９レンズ側接続端子ＬＰ９に入力されたことをレンズ制御部２０３に通知する。レンズ制御部２０３はこの通知に応じて、レンズ位置データを生成する生成処理５０１の実行を開始する。生成処理５０１とは、レンズ制御部２０３がレンズ位置検出部２１３にフォーカシングレンズ２１０ｂの位置を検出させ、検出結果を表すレンズ位置データを生成する処理である。
【００７７】
レンズ制御部２０３が生成処理５０１を実行完了すると、レンズ制御部２０３およびレンズ側第２通信部２１８は第１０レンズ側接続端子ＬＰ１０からＬレベルの信号を出力する（Ｔ７）。すなわち、信号線ＨＡＮＳの信号レベルをＬレベルにする。ボディ制御部１０３およびボディ側第２通信部１１８は、この信号が第１０ボディ側接続端子ＢＰ１０に入力されたことに応じて、第６ボディ側接続端子ＢＰ６からクロック信号５０２を出力する。すなわち、信号線ＨＣＬＫを介してレンズ側第２通信部２１８にクロック信号を伝送する。
【００７８】
レンズ制御部２０３およびレンズ側第２通信部２１８は、このクロック信号５０２に同期して、第７レンズ側接続端子ＬＰ７からレンズ位置データを表すレンズ位置データ信号５０３を出力する。すなわち、信号線ＨＤＡＴを介してボディ側第２通信部１１８にレンズ位置データ信号５０３を伝送する。
【００７９】
レンズ位置データ信号５０３の送信が完了すると、レンズ制御部２０３およびレンズ側第２通信部２１８は第１０レンズ側接続端子ＬＰ１０からＨレベルの信号を出力する。すなわち、信号線ＨＡＮＳの信号レベルをＨレベルにする（Ｔ８）。ボディ側第２通信部１１８は、この信号が第１０ボディ側接続端子ＢＰ１０に入力されたことに応じて、第９レンズ側接続端子ＬＰ９からＨレベルの信号を出力する。すなわち、信号線ＨＲＥＱの信号レベルをＨレベルにする（Ｔ９）。
【００８０】
上述した時刻Ｔ６〜時刻Ｔ９に行われた通信が、１回のホットライン通信である。上述のように、１回のホットライン通信では、レンズ制御部２０３およびレンズ側第２通信部２１８により、レンズ位置データ信号５０３が１つ送信される。ホットライン通信に利用される第９レンズ側接続端子ＬＰ９、第１０レンズ側接続端子ＬＰ１０、第９ボディ側接続端子ＢＰ９、および第１０ボディ側接続端子ＢＰ１０は、他のクロック信号に同期しない非同期信号が伝送される接点である。つまり第９レンズ側接続端子ＬＰ９および第９ボディ側接続端子ＢＰ９は、非同期信号（信号線ＨＲＥＱの信号レベル／Ｈ（Ｈｉｇｈ）レベル、またはＬ（Ｌｏｗ）レベル）が伝送される接点であり、第１０レンズ側接続端子ＬＰ１０および第１０ボディ側接続端子ＢＰ１０は、非同期信号（信号線ＨＡＮＳの信号レベル／Ｈ（Ｈｉｇｈ）レベル、またはＬ（Ｌｏｗ）レベル）が伝送される端子である。
【００８１】
なお、コマンドデータ通信とホットライン通信は、同時にも或いは一部並行的にも実行することが可能である。すなわち、レンズ側第１通信部２１７とレンズ側第２通信部２１８との一方は、その他方がカメラボディ１００と通信を行っている場合であってもカメラボディ１００と通信を行うことが可能である。
【００８２】
上述した第１の実施の形態によるカメラシステムによれば、次の作用効果が得られる。
（１）ボディ側マウント部１０１の近傍に設けられた１２個のボディ側接続端子ＢＰ１〜ＢＰ１２のうち、第２ボディ側接続端子ＢＰ２を除く各々に接続される１１個のレンズ側接続端子ＬＰ１、ＬＰ３〜ＬＰ１２（の露出領域）を保持部２０２に配置した。この、どのレンズ側接続端子にも接続されない第２ボディ側接続端子ＢＰ２は、レンズ駆動部２１２を動作させるための駆動電圧が供給される第１ボディ側接続端子ＢＰ１に対応する接地端子である。レンズ駆動部２１２、レンズ側第１通信部２１７、およびレンズ側第２通信部２１８は、いずれも第１２レンズ側接続端子ＬＰ１２を接地端子とする。このようにしたので、第２ボディ側接続端子ＢＰ２と接続するための端子を交換レンズ２００内で配線する必要がなくなり、部品点数を削減することができる。
【００８３】
（２）保持部２０２の、第２ボディ側接続端子ＢＰ２に対応する位置には、端子が存在しない。このようにしたので、第２ボディ側接続端子ＢＰ２と接続するための端子を設けるための部材が不要となり、部品点数を削減することができる。  
【００８４】
（第２の実施の形態）
本発明を適用した第２の実施の形態のカメラシステムは、第１の実施の形態のカメラシステムと同様の構成を有するが、第１の実施の形態とはレンズ側接続端子の露出領域の表面形状が異なる。以下、この第２の実施の形態におけるレンズ側接続端子の露出領域の表面形状について説明する。なお、以下の説明において、第１の実施の形態と同様の各部については、第１の実施の形態と同一の符号を付し説明を省略する。また、カメラボディについては第１の実施の形態と同一であるものとする。
【００８５】
図８は、第２の実施の形態における保持部２０２の正面図である。図８（ａ）および図８（ｂ）に示すように、本実施形態において、レンズ側マウント部２０１の保持部２０２に配置された１１個のレンズ側接続端子ＬＰ１〜ＬＰ１２は、保持部２０２の内周側（マウント中心点Ｏに近い辺）から外周側（マウント中心点Ｏに遠い辺）までを覆う大きさを有している。しかしながら、その露出領域の大きさおよび位置は、図５（ａ）および図５（ｂ）に示した第１の実施形態のものと同一である。以下、この点について、第８レンズ側接続端子ＬＰ８の断面図を示して説明する。
【００８６】
図９（ａ）は、第８レンズ側接続端子ＬＰ８の正面図を拡大した図であり、図９（ｂ）は第８レンズ側接続端子ＬＰ８および保持部２０２の断面図である。図９（ｂ）の断面図に示すように、第８レンズ側接続端子ＬＰ８を構成する金属片２０９は、その一端が、保持部２０２の表面に設けられた凹部２０８に入り込んでいる。つまり、金属片２０９の表面は、保持部２０２の表面に露出する露出領域ＬＰ８ａと、金属片２０９を保持部２０２に固定するための固定部ＬＰ８ｂとに分かれている。そして、図９（ａ）のように表面から見るとあたかも露出領域が図５より大きいように見えるが、実際には、露出領域ＬＰ８ａの大きさは変わらない。
【００８７】
以上、本実施形態における第８レンズ側接続端子ＬＰ８の露出領域について説明をしたが、他の１０個のレンズ側接続端子については第８レンズ側接続端子ＬＰ８と同様であるので説明を省略する。すなわち、他の１０個のレンズ側接続端子の構造についても、図５に示したものと同一であり、表面上増えたように見える領域は、金属片を保持部２０２に固定するための固定部である。露出領域の大きさおよび位置は、図５（ａ）および図５（ｂ）に示した第１の実施形態のものと同一であるとしたが、露出領域の大きさおよび位置は同一でなくともよい。
【００８８】
上述した第２の実施の形態によるカメラシステムによれば、第１の実施形態と同様の作用効果が得られる。
【００８９】
（第３の実施の形態）
本発明を適用した第３の実施の形態のカメラシステムは、第１の実施の形態のカメラシステムと同様の構成を有するが、第１の実施の形態とはレンズ側接続端子の配列が異なる。以下、この第３の実施の形態におけるレンズ側接続端子の端子配列について説明する。なお、以下の説明において、第１の実施の形態と同様の各部については、第１の実施の形態と同一の符号を付し説明を省略する。また、カメラボディについては第１の実施の形態と同一であるものとする。
【００９０】
図１０は、第３の実施の形態のカメラシステムにおける保持部２０２の正面図である。図１０（ａ）および図１０（ｂ）に示すように、本実施形態の保持部２０２には、１１個のボディ側接続端子ＢＰ１〜ＢＰ１１の各々に接続される１１個のレンズ側接続端子ＬＰ１〜ＬＰ１１が配置されている。第１の実施の形態では、第２ボディ側接続端子ＢＰ２がどのレンズ側接続端子にも接続されないように構成されていたが、本実施形態では、第２ボディ側接続端子ＢＰ２と接続される第２レンズ側接続端子ＬＰ２が用意されている。その一方で、第１２ボディ側接続端子ＢＰ１２がどのレンズ側接続端子にも接続されないようになっている。つまり、第１２レンズ側接続端子ＬＰ１２が保持部２０２から取り除かれている。
【００９１】
なお、交換レンズ２００の内部配線は、図３に示した第１の実施の形態における第１２レンズ側接続端子ＬＰ１２を、第２レンズ側接続端子ＬＰ２に置き換えたものに等しい。すなわち、レンズ駆動部２１２は第２レンズ側接続端子ＬＰ２をグランドとして、第１レンズ側接続端子ＬＰ１から供給された駆動電圧により動作する。換言すると、交換レンズ２００内のレンズ制御部２０３等の回路と、レンズ駆動部２１２等の駆動系とは、グランドを共有する。
【００９２】
以下、図１０（ｂ）を基に、１１個のレンズ側接続端子ＬＰ１〜ＬＰ１１（の露出領域）同士の位置関係について説明する。第１レンズ側接続端子ＬＰ１の接触部と第１１レンズ側接続端子ＬＰ１１の接触部とがマウント中心点Ｏに対して成す内角θ３１は、１１個のレンズ側接続端子ＬＰ１〜ＬＰ１１から任意に選択された２つのレンズ側接続端子の接触部がマウント中心点Ｏに対して成す内角の中で最も大きい。
【００９３】
第１レンズ側接続端子ＬＰ１の接触部と第２レンズ側接続端子ＬＰ２の接触部とがマウント中心点Ｏに対して成す内角θ０は、第３レンズ側接続端子ＬＰ３から第１１レンズ側接続端子ＬＰ１１のうちいずれか１つの接触部と第１レンズ側接続端子ＬＰ１の接触部とがマウント中心点Ｏに対して成す内角θ２２〜θ３１より小さい。第１レンズ側接続端子ＬＰ１の接触部と第７レンズ側接続端子ＬＰ７の接触部とがマウント中心点Ｏに対して成す内角θ２２は、第３レンズ側接続端子ＬＰ３から第６レンズ側接続端子ＬＰ６および第８レンズ側接続端子ＬＰ８から第１１レンズ側接続端子ＬＰ１１のうちいずれか１つの接触部と第１レンズ側接続端子ＬＰ１の接触部とがマウント中心点Ｏに対して成す内角θ２３〜θ３１より小さい。
【００９４】
第１レンズ側接続端子ＬＰ１の接触部と第６レンズ側接続端子ＬＰ６の接触部とがマウント中心点Ｏに対して成す内角θ２３は、第３レンズ側接続端子ＬＰ３から第５レンズ側接続端子ＬＰ５および第８レンズ側接続端子ＬＰ８から第１１レンズ側接続端子ＬＰ１１のうちいずれか１つの接触部と第１レンズ側接続端子ＬＰ１の接触部とがマウント中心点Ｏに対して成す内角θ２４〜θ３１より小さい。第１レンズ側接続端子ＬＰ１の接触部と第１０レンズ側接続端子ＬＰ１０の接触部とがマウント中心点Ｏに対して成す内角θ２４は、第３レンズ側接続端子ＬＰ３から第５レンズ側接続端子ＬＰ５および第８レンズ側接続端子ＬＰ８、第９レンズ側接続端子ＬＰ９、および第１１レンズ側接続端子ＬＰ１１のうちいずれか１つの接触部と第１レンズ側接続端子ＬＰ１の接触部とがマウント中心点Ｏに対して成す内角θ２５〜θ３１より小さい。
【００９５】
第１レンズ側接続端子ＬＰ１の接触部と第９レンズ側接続端子ＬＰ９の接触部とがマウント中心点Ｏに対して成す内角θ２５は、第３レンズ側接続端子ＬＰ３から第５レンズ側接続端子ＬＰ５および第８レンズ側接続端子ＬＰ８および第１１レンズ側接続端子ＬＰ１１のうちいずれか１つの接触部と第１レンズ側接続端子ＬＰ１の接触部とがマウント中心点Ｏに対して成す内角θ２６〜θ３１より小さい。第１レンズ側接続端子ＬＰ１の接触部と第８レンズ側接続端子ＬＰ８の接触部とがマウント中心点Ｏに対して成す内角θ２６は、第３レンズ側接続端子ＬＰ３から第５レンズ側接続端子ＬＰ５および第１１レンズ側接続端子ＬＰ１１のうちいずれか１つの接触部と第１レンズ側接続端子ＬＰ１の接触部とがマウント中心点Ｏに対して成す内角θ２７〜θ３１より小さい。第１レンズ側接続端子ＬＰ１の接触部と第５レンズ側接続端子ＬＰ５の接触部とがマウント中心点Ｏに対して成す内角θ２７は、第３レンズ側接続端子ＬＰ３、第４レンズ側接続端子ＬＰ４、および第１１レンズ側接続端子ＬＰ１１のうちいずれか１つの接触部と第１レンズ側接続端子ＬＰ１の接触部とがマウント中心点Ｏに対して成す内角θ２８〜θ３１より小さい。
【００９６】
第１レンズ側接続端子ＬＰ１の接触部と第４レンズ側接続端子ＬＰ４の接触部とがマウント中心点Ｏに対して成す内角θ２８は、第３レンズ側接続端子ＬＰ３および第１１レンズ側接続端子ＬＰ１１のいずれか一方の接触部と第１レンズ側接続端子ＬＰ１の接触部とがマウント中心点Ｏに対して成す内角θ２９、θ３１より小さい。第１レンズ側接続端子ＬＰ１の接触部と第３レンズ側接続端子ＬＰ３の接触部とがマウント中心点Ｏに対して成す内角θ２９は、第１レンズ側接続端子ＬＰ１の接触部と第１１レンズ側接続端子ＬＰ１１の接触部とがマウント中心点Ｏに対して成す内角θ３１より小さい。第３レンズ側接続端子ＬＰ３の接触部と第１１レンズ側接続端子ＬＰ１１の接触部とがマウント中心点Ｏに対して成す内角は、第１レンズ側接続端子ＬＰ１から第１０レンズ側接続端子ＬＰ１０のうち隣り合ういずれか２つのレンズ側接続端子の接触部がマウント中心点Ｏに対して成す内角の略２倍である。１１個のレンズ側接続端子ＬＰ１〜ＬＰ１１（の露出領域）は、以上のような位置関係で保持部２０２に配置されている。
【００９７】
上述した第３の実施の形態によるカメラシステムによれば、第１の実施形態と同様の作用効果が得られる。
【００９８】
次のような変形も本発明の範囲内であり、変形例の一つ、もしくは複数を上述の実施形態と組み合わせることも可能である。
【００９９】
（変形例１）
上述の実施の形態では、図５に示すように、複数のレンズ側接続端子を保持部２０２の下側の縁に沿って配置していた。これら複数のレンズ側接続端子を、これ以外の形態で保持部２０２に配置してもよい。また、複数のレンズ側接続端子は保持部２０２のどの位置に配置してもよいし、保持部２０２の形状も図５に示す形状に限定されずどのような形状であってもよい。
【０１００】
（変形例２）
上記実施形態では、ホットライン通信で、フォーカシングレンズ２１０ｂの位置データを、交換レンズ２００からカメラボディ１００に送信するものとして説明した。しかしながらホットライン通信を使って、フォーカシングレンズ以外の被駆動部材の状態情報をも送信するようにシステムを構成しても良い。例えば交換レンズ２００に手振れ補正のためのブレ補正レンズが設けられている場合には、そのブレ補正レンズの位置（Ｘ，Ｙ位置）を送信するようにしても良い。また交換レンズ内の絞りの位置（絞り開口サイズに関連する情報）を送信するようにしても良い。また交換レンズ２００がズームレンズであれば、レンズの焦点距離に関する情報を送信するようにしても良い。このような場合には、図７（ｂ）に示す生成処理５０１として、ブレ補正レンズの位置データを生成する処理や、絞り開口を形成する絞りの制御位置データ（開口サイズに対応する位置情報）を生成する処理や、ズームレンズの位置データを生成する処理が含まれる。
【０１０１】
（変形例３）
上述の実施形態では、保持部１０２（ボディ側）および保持部２０２（レンズ側）をそれぞれ一体部品（一部品）としている。しかしながら、この保持部１０２，２０２はそれぞれ、幾つかに（幾つかの端子ごとに）分割されている複数の保持部部品を組合わせることで、一体に形成するように構成しても良い。
【０１０２】
（変形例４）
上述の実施形態では、通信インターフェースを、２つの通信（ホットライン通信、コマンドデータ通信）に対してそれぞれ個別に設けているが、これらが一体に形成されていてもよい。すなわち交換レンズ側で言えば、レンズ側第１通信部２１７とレンズ側第２通信部２１８とが一体に形成されていても良い。同様にカメラボディ側で言えばボディ側第１通信部１１７とボディ側第２通信部１１８とが一体に形成されていても良い。更に、ボディ制御部１０３やレンズ制御部２０３の代わりに、これらの各通信インターフェースの機能が組み込まれたボディ制御部やレンズ制御部を使用しても良い。
【０１０３】
（変形例５）
上記実施形態では、二次電池１３２の正極に接続された第１ボディ側接続端子ＢＰ１に対応する接地端子である第２ボディ側接続端子ＢＰ２が、どのレンズ側接続端子にも接続されないように交換レンズ２００を構成していた。また、レンズ制御部２０３、レンズ側第１通信部２１７、レンズ側第２通信部２１８、およびレンズ駆動部２１２が、第１２レンズ側接続端子ＬＰ１２を接地端子としていた。逆に、第２ボディ側接続端子ＢＰ２が接地端子として利用され、第１２ボディ側接続端子ＢＰ１２がどのレンズ側接続端子にも接続されないよう交換レンズ２００を構成してもよい。この場合、レンズ制御部２０３、レンズ側第１通信部２１７、レンズ側第２通信部２１８、およびレンズ駆動部２１２は、第２ボディ側接続端子ＢＰ２に接続されるレンズ側接続端子を接地端子として利用することとなる。また、保持部２０２の第１２ボディ側接続端子ＢＰ１２に対応する位置にはレンズ側接続端子が配置されず、第２ボディ側接続端子ＢＰ２に対応する位置に新たにレンズ側接続端子が配置されることとなる。
【０１０４】
（変形例６）
上述した実施形態では、保持部２０２の第２ボディ側接続端子ＢＰ２に対応する位置には、端子が設けられていなかった。これを、保持部２０２に端子を設けるが、交換レンズ２００の内部では当該端子と各種の回路（レンズ制御部２０３、レンズ側第１通信部２１７、レンズ側第２通信部２１８、およびレンズ駆動部２１２）とが接続されないようにしてもよい。換言すれば、保持部２０２の外観上は端子があるように見えるが、実際に接地端子として各回路に接続はせず、保持部２０２上の部材のみが存在するようにしてもよい。この場合、保持部２０２上に各レンズ側接続端子を均一に配置することができるので、カメラボディ１００の交換レンズ２００への取り付けを円滑に行うことが可能になる。また、このように交換レンズ２００を構成した場合であっても、交換レンズ２００内の配線は省略することが可能であり、部品点数の削減は達成することができる。
【０１０５】
本発明の特徴を損なわない限り、本発明は上記実施の形態に限定されるものではなく、本発明の技術的思想の範囲内で考えられるその他の形態についても、本発明の範囲内に含まれる。
【符号の説明】
【０１０６】
１…カメラ、１００…カメラボディ、１０１…ボディ側マウント部、１０２、２０２…保持部、１０３…ボディ制御部、１１７…ボディ側第１通信部、１１８…ボディ側第２通信部、２００…交換レンズ、２０１…レンズ側マウント部、２０３…レンズ制御部、２１０…結像光学系、２１７…レンズ側第１通信部、２１８…レンズ側第２通信部
【図１】
0005316687.tif 000002
【図２】
0005316687.tif 000003
【図３】
0005316687.tif 000004
【図４】
0005316687.tif 000005
【図５】
0005316687.tif 000006
【図６】
0005316687.tif 000007
【図７】
0005316687.tif 000008
【図８】
0005316687.tif 000009
【図９】
0005316687.tif 000010
【図１０】
0005316687.tif 000011